(57)【要約】  方法およびシステムは、ポータブル装置を所持している人が実行するジョブを選択し、ジョブに必要な許可、ジョブの実施計画、ジョブに関連するリスク、ジョブに関連して使用される設備を含むジョブに関連する情報をポータブル装置にダウンロードし、ジョブに必要な許可に関する情報、ジョブの実施計画に関する情報、ジョブに関連するリスクに関する情報、ジョブに関連して使用される設備に関する情報の各項目を選択するための対応する表示を表示し、表示のうちの１つの選択を受信し、受信した選択に従ってダウンロードされた情報の少なくとも一部を表示し、個人によるジョブの遂行に関連して表示された情報の使用に関連するポータブル装置への入力を受信し、入力をアップロードすることによって、個人によるジョブの遂行に関して表示された情報の使用の記録を保存することができる。【選択図】図１
2020501233.tif 000002
【特許請求の範囲】
【請求項１】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブからジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプのテンプレートを検索することと、
前記テンプレートの文書を前記ユーザーに対して表示することと、
選択のために１つ以上の動作を前記ユーザーに提供することと、
前記動作のうちの１つの選択を受信することと、
前記選択を送信し、前記選択の送信は、選択された前記動作を開始し、選択された前記動作が完了するまで他のユーザーによる選択された前記動作に関連する１つ以上の動作の選択をブロックすることと、
を含む方法。
【請求項２】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプの完成された文書を検索することと、
前記文書をユーザーに対して表示することと、
通常選択可能な１つ以上の動作をユーザーに提供することと、
関連する動作が開始されたときにリモートシステムからブロック通信を受信することと、
関連する前記動作が完了するまで、少なくとも１つの動作の選択をブロックすることと、
関連する前記動作が完了したことを示すブロック解除通信を受信してから、前記動作の１つの選択を許可することと、
を含む方法。
【請求項３】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプのテンプレートを検索することと、
前記テンプレートの文書を前記ユーザーに対して表示することと、
前記文書を提出することと、
前記ユーザーが前記文書への変更を許可する役割を有していない限り、前記文書を変更することをロックすることと、
を含む方法。
【請求項４】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから完成された文書を検索することと、
前記完成された文書をユーザーに対して表示することと、
前記ユーザーが前記文書への変更を許可する役割を受信したときに、前記文書に変更を加え、変更された前記文書を送信することを許可することと、
前記ユーザーが前記文書に変更を加えることを許可しない役割を受信したときに、前記文書に変更を加えることを許可しないことと、
を含む方法。
【請求項５】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプのテンプレートを検索することと、
前記テンプレートの文書をユーザーに対して表示することと、
前記文書内の質問への回答のためにユーザーから１つ以上の入力を受信することと、
安全な労働条件を示す期待回答を前記データリポジトリから受信することと、
前記ユーザーから受信した各回答が、それぞれ受信した前記期待回答と一致することを確認することと、
確認された前記回答の１つ以上が前記期待回答と一致しない場合、労働条件が危険であることを表示することと、
を含む方法。
【請求項６】
プロセッサーを含むシステムであって、
モバイル装置を所持している人が実行するジョブを選択し、前記ジョブに必要な許可、前記ジョブの実施計画、前記ジョブに関連するリスク、前記ジョブに関連して使用される設備を含むジョブに関連する情報を前記モバイル装置にダウンロードし、
前記ジョブに必要な許可に関する情報、前記ジョブの実施計画に関する情報、前記ジョブに関連するリスクに関する情報、前記ジョブに関連して使用される設備に関する情報の各項目を選択するための対応する表示を表示し、
前記表示のうちの１つの選択を受信し、
受信した前記選択に従ってダウンロードされた前記情報のうちの少なくとも一部を表示し、
個人による前記ジョブの遂行に関連して表示された前記情報の使用に関連する前記モバイル装置への入力を受信し、
前記入力をアップロードして、前記個人による前記ジョブの遂行に関して表示された情報の使用の記録を保存するように構成されるシステム。
【請求項７】
前記プロセッサーは、さらに、
選択のために１つ以上の動作をユーザーに提供し、
前記動作の１つの選択を受信し、
前記選択を送信し、前記選択の送信は、選択された前記動作を開始し、選択された前記動作が完了するまで他のユーザーによる選択された前記動作に関連する１つ以上の動作の選択をブロックするように構成される請求項６に記載のシステム。
【請求項８】
前記プロセッサーは、さらに、
通常選択可能な１つ以上の動作をユーザーに提供し、
関連する前記動作が開始されたときにリモートシステムからブロック通信を受信し、
関連する前記動作が完了するまで、少なくとも１つの動作の選択をブロックし、
関連する前記動作が完了したことを示すブロック解除通信を受信してから、前記動作の１つの選択を許可するように構成される請求項６に記載のシステム。
【請求項９】
前記プロセッサーは、さらに、
ユーザーがアップロードされた前記入力への変更を許可する役割を有していない限り、アップロードされた前記入力を変更することをロックするように構成される請求項６に記載のシステム。
【請求項１０】
前記プロセッサーは、さらに、
ユーザーがアップロードされた前記入力への変更を許可する役割を有しているときに、アップロードされた前記入力を変更し、変更されたアップロードされた前記入力を送信することを許可し、
ユーザーがアップロードされた前記入力への変更を許可しない役割を有している場合、アップロードされた前記入力に加えられる変更を許可しないように構成される請求項６に記載のシステム。
【請求項１１】
前記プロセッサーは、はさらに、
安全な労働条件を示す期待回答をデータリポジトリから受信し、
受信した各入力が、それぞれ受信した前記期待回答と一致するユーザーから受信した回答を表すことを確認し、
確認された回答の１つ以上が前記期待回答と一致しない場合、労働条件が危険であることを示すように構成される請求項６に記載のシステム。
【発明の詳細な説明】
【技術分野】
【０００１】
本開示は、現場におけるリスク管理のための情報を提供および受信するための方法およびシステムに関し、より具体的には、許可、計画、リスク管理、議事録、警告、危険・事故報告および設備情報、検索可能で選択可能かつ拡張可能な方法のステップのリストを含む自動生成文書、タスク、リスクおよび制御（コントロール）へのアクセスのため、ならびにユーザー固有の場所、アクティビティ、権限、およびそれぞれの変更に基づく通知の受信のための方法およびシステムに関する。
【背景技術】
【０００２】
現在の現場のリスク管理慣行は、従業員の健康と安全、環境保護および品質管理に関する多数の規制、規範および規格を含んでいる。すべての企業はすべての要件を遵守しなければならないが、従業員が以下のような活動に関与している場合、コンプライアンスは特に困難である。
Ａ）オフィスやデスクから離れている（「最前線」または「現場」の従業員）
Ｂ）複数の場所、または毎日変わる場所（例：配管工、電気技師、移動技術者、移動医療サービス）で発生する。
Ｃ）建設業、鉱業、土木工事、またはその他の「リスクの高い」作業を含む。
【発明の概要】
【発明が解決しようとする課題】
【０００３】
要するに、コンプライアンスは一般に現場の従業員に以下のいずれかを要求する。
１．特定の作業を行う前に、安全性チェックのチェックリストを作成し、規定の管理を実施する。
２．ジョブをする前に「リスク評価」を実施する。その最も単純な形式では、リスク評価は次のようになる。
Ａ）ジョブの各ステージにおけるすべての危険を特定：
Ｂ）各危険に対する管理策を選択；
Ｃ）（「定性的」評価を通じて）「残存」リスクレベルを決定；
Ｄ）次の場合に限り、ジョブを進める：
ｉ）残存リスクは適切である
ｉｉ）すべての管理策が実施されている。
【０００４】
これらのチェックリストおよびリスク評価の大多数は紙ベースであり、そして生成される事務処理の量は非常に大きい。一例として、現場の従業員が毎日記入する書式の要約リストを以下に示す：
Ａ）車両、トラック、資本設備および工場の設備のプレスタート：従業員が設備を操作する前に完了しなければならない約３０の保守点検のリスト。
Ｂ）ジョブ安全性評価（ＪＳＡ）：プロジェクトまたはジョブのすべてのステップの詳細なリスク評価。ＪＳＡはジョブごとに書かれ、少なくとも毎日見直される。基本的なＪＳＡは、生成に最大６０分、見直しに最大２０分かかる。ジョブに関わるすべての従業員は、毎日ジョブを始める前にＪＳＡを確認して署名する必要がある。
Ｃ）テイク５評価：従業員が特定のタスクを開始する前に約３０の危険性をチェックする。
Ｄ）毎日および／または毎週のリスク管理会議の議事録
Ｅ）新規および／または管理されていない危険および事故に関する危険／事故報告
Ｆ）許可：特定の活動が行われる前に実施されなければならない安全チェックと規定された管理の詳細なリスト。たとえば、通常、従業員が以下をする前に許可が必要である：
ｉ）任意の現場に参加して任意の作業を行う；
ｉｉ）任意の表面（例えば壁）を貫通する；
ｉｉｉ）掘削（手動または機械的に）する；
ｉｖ）閉鎖空間侵入する；
ｖ）高所で作業する（ある高さから別の高さへの落下のリスクとして定義される。これは１フィート未満になることがある）：
ｖｉ）電気工事を行う
ｉｉ）熱所作業を行う；
ｖｉｉｉ）植物を除去する；
ｉｘ）高圧水噴射を実施する；
ｘ）コンクリート切断鋸を使用する。
【０００５】
もちろん、現場の従業員は、特に同じタスクまたはジョブを何百回も行ったときには、書類作成に自然な嫌悪感を抱く。書類作成の主な欠点は次のとおりである：
Ａ）現場の従業員は、各タスクに適用可能なすべてのリスクと制御を覚えておくのに苦労している。
Ｂ）現場の従業員に毎日「一筆書く」ように言うのとよく似ている。
Ｃ）現場の従業員は書類作成を尊重していない  −  そのため、彼らはそれをアービトラージ（鞘取り）する。
Ｄ）それは非常に非効率的である。例えば：
ｉ）完成した事務処理からのデータは、管理職員によって中央システム（例：資産管理システム、訓練システム、現場での時間記録、燃料消費量など）に手動で入力されなければならない。
ｉｉ）現場の従業員が事務処理をアービトラージ（鞘取り）することができるので、安全調査担当者は事務処理をチェックするために現場に行かなければならない。
【０００６】
本明細書中でなされる文書に対するいかなる言及も、明示的にそのように述べられていない限り、それらの文書に含まれる情報が本発明の分野の当業者に知られている一般的な技術常識の一部を形成することの承認を意図するものではない。
【０００７】
本明細書および特許請求の範囲を通して、文脈が他に必要としない限り、「含む」（ｃｏｍｐｒｉｓｅ）または「含む」（ｃｏｍｐｒｉｓｅｓ）または「含む」（ｃｏｍｐｒｉｓｉｎｇ）などの変形は、記載された整数または整数群を含むが他の整数または整数群を除外することを意味しないことが理解されるであろう。
【課題を解決するための手段】
【０００８】
現場におけるリスク管理のための情報を提供および受信するための方法およびシステム、より具体的には、許可、計画、リスク管理、議事録、警告、危険・事故報告および設備情報、検索可能で選択可能かつ拡張可能な方法のステップのリストを含む自動生成文書、タスク、リスクおよび制御へのアクセスのため、ならびにユーザー固有の場所、アクティビティ、権限、およびそれぞれの変更に基づく通知の受信のための方法およびシステムに関する。開示されたリスク管理のためのシステムおよび方法は、リスク管理のプロセスにおいて現場の従業員を支援し、従事させるためのツールを提供し、それらが適切な方法でリスク管理タスクを完了することを奨励する。
【０００９】
開示されたシステムおよび方法の一実施形態は以下を提供する：
１．現場の従業員が、ｉＰｈｏｎｅ（登録商標）／ｉＰａｄ（登録商標）／Ａｎｄｒｏｉｄ（登録商標）などのモバイルコンピューター設備を介してリスク管理文書を完成させる能力。これには以下が含まれる：設備の開始前（プレスタート）チェックリスト、ジョブ安全性評価（ＪＳＡ）、テイク５、許可、会議議事録、危険／事故報告など。
２．以下のアクセスとレビュー：
ａ）担当者の資格
ｂ）化学物質等安全データシート（通常ＭＳＤＳまたはＳＤＳ）；
ｃ）ログブック；
ｄ）設備リスク評価、登録簿およびマニュアル；
ｅ）作業計画、仕様書、メソッドステートメント、メモ、写真など；
ｆ）会社の手順；そして
ｇ）会社およびジョブ特有のリスク警告。
３．ツールは、次のようにして現場の従業員をかかわらせる：
ａ）本社担当者によって投入され管理されている雇用主および／またはジョブ特有の方法ステップ、タスク、リスクおよび制御のリストを検討するように促す。彼らはまた、リストのそれぞれに任意のアイテムを追加する能力を有し、そのような追加は自動的に本社担当者に報告される。
ｂ）関連する適切な方法ステップ、タスク、リスクおよび制御を検索および選択できるようにする。
ｃ）残存リスクを評価する。
ｄ）アップロードごとに「スコア」を提供する。そして：
ｉ）業績評価および報酬に関連している可能性のある従業員のスコアの記録を保存する。
ｉｉ）会社全体のリーダーボードを作成する。
ｅ）安全競争とリスク改善のためのオンラインフォーラムを開催する。
４．以下によるリスク情報の適時性および正確性の向上：
ａ）各アクセス／アップロードの時間と場所を追跡するＧＰＳ
ｂ）制御が実行される前に現場の従業員がジョブを開始できないようにする（例：プレスタートのタイムスタンプは設備の移動のタイムスタンプまたは設備に記録された時間より前でなければならない）
ｃ）事故調査、コンプライアンス監査、顧客請求書発行などとＧＰＳおよびタイムスタンプデータの相互参照
５．さまざまな要因にわたる安全思考の変化を含む、リアルタイムの現場のリスク管理データのデータベースを作成する機能。
６．本社担当者がデータに関する統計的およびその他の分析を行い、リスクインシデントのパターンと「先行指標」を特定できるようにする。
【００１０】
本発明の第１の態様によれば、プロセッサー、メモリー、ネットワークインターフェース、およびタッチ表示画面を含むモバイルコンピューター装置上でリスク管理のための情報を提供する方法が開示され、
方法は、ネットワークインターフェースを介してプロセッサー内の作業現場で、許可を識別する第１の情報、計画を識別する第２の情報、リスク評価を識別する第３の情報、および設備を識別する第４の情報を受信し、
タッチ表示画面上に許可を識別する第１の情報、計画を識別する第２の情報、リスク評価を識別する第３の情報、および設備を識別する第４の情報を表示し、
表示された許可を識別する第１の情報、計画を識別する第２の情報、リスク評価を識別する第３の情報、および設備を識別する第４の情報に近接するタッチ表示画面上のタッチでそれぞれ許可、計画、リスク評価およびデバイスに関するデータへのアクセスを提供し、
リスク評価を識別する表示された第３の情報に近接するタッチ入力を受信すると、ジョブ安全評価識別子を識別する１つ以上の第５の情報を表示し、
作業安全評価識別子を識別する表示された１つ以上の第５の情報に近接するタッチ表示画面上でタッチ信号を受信すると、特定のジョブ安全評価識別子に関して許可、計画および設備に関するデータへのアクセスを提供することを含む。
【００１１】
また、プロセッサー、メモリー、ネットワークインターフェース、およびタッチ表示画面を含むモバイルコンピューター装置上で実行されるリスク管理のための情報を提供するための方法およびシステムも開示され、
方法は、処理期間を特定する情報を示すアイコンを表示し、
表示されたアイコンに最も近いタッチ表示画面上でタッチ信号を受信すると、ログクエリを識別する１つ以上の情報を受信してタッチ表示画面上に表示し、
ログクエリを識別する１つ以上の表示情報に近接するタッチ信号を受信すると、受信したタッチ信号に関連する１つ以上のデータをリモートサーバーに送信し、
リモートサーバーは、ログクエリを識別する１つ以上の表示された情報に最も近い受信されたタッチ信号に関連する１つ以上のデータを、ログフォームを有する文書に自動生成する処理を提供し、
ログフォームを有する文書を保存することを含む。
【００１２】
プロセッサー、メモリー、ネットワークインターフェース、およびタッチ表示画面を含むモバイルコンピューター装置上で実行されるリスク管理のための方法およびシステムもまた開示され、
プロセッサーにおいて、ネットワークインターフェースを介して許可を識別する情報を受信し、
許可を識別する情報をタッチ表示画面上に表示し、許可を識別する表示された情報に近接するタッチ信号を受信し、タッチ表示画面上で許可を識別する情報に近いタッチ信号を受信すると、特定の許可を識別する１つ以上の情報を受信してディスプレイに表示することを含み、特定の許可を識別する情報は、許可が有効であるかどうか、または許可が期限切れになったかどうかを示す表示を含む。
【００１３】
開示された方法およびシステムはまた、ＧＰＳ追跡を含むことができ、
遠隔地では、ＧＰＳを介してコンピューターの位置を追跡し、
遠隔地で、そのコンピューターの位置にあるジョブに関連する許可が失効したかどうかを処理し、
コンピューターの位置に関する許可が失効した場合は、コンピューターへの配信のためにその通知を送信することを含む。
【００１４】
本発明の他の態様によれば、以下を含む方法が開示され、
モバイル設備を所持する人が実行するジョブを選択し、ジョブに必要な許可、ジョブの実施計画、ジョブに関連するリスク、ジョブに関連して使用される設備を含むジョブに関連する情報そのモバイル設備にダウンンロードし、
ジョブに必要な許可に関する情報、ジョブの実施計画に関する情報、ジョブに関連するリスクに関する情報、およびジョブに関連して使用される設備に関する情報のうちのそれぞれの選択に対応する表示を表示し、
表示のうちの１つの選択を受信し、
受信した選択に従ってダウンロードされた情報の少なくとも一部を表示し、
人によるジョブの遂行に関連して表示された情報の使用に関連するモバイル設備への入力を受信し、
入力をアップロードすることを含み、これによって、人によるジョブの遂行に関連して表示された情報の使用の記録を記憶することができる。
【００１５】
本発明の別の態様によれば、以下を実行するように構成されたプロセッサーを備えるモバイル設備が開示され、
モバイル設備を所持している人が実行するジョブを選択し、ジョブに関する情報、ジョブに必要な許可、ジョブの実施計画、ジョブに関連するリスク、ジョブに関連して使用される設備を含むジョブに関する情報をモバイル設備にダウンロードし、
ジョブに必要な許可に関する情報、ジョブの実施計画に関する情報、ジョブに関連するリスクに関する情報、ジョブに関連して使用される設備に関する情報のうちの１つの選択に対応する表示を表示し、
表示のうちの１つの選択を受信し、
受信した選択に従ってダウンロードされた情報の少なくとも一部を表示し、
人によるジョブの遂行に関連して表示された情報の使用に関連するモバイル設備への入力を受信し、
入力をアップロードすることを含み、これによって、人によるジョブの遂行に関連して表示された情報の使用の記録を記憶することができる。
【００１６】
一実施形態では、ジョブの選択は表示の選択を含む。ジョブの種類は、利用可能な情報のライブラリから職種に応じてダウンロードされる情報を予め選択する。
【００１７】
一実施形態では、情報は、ジョブの種類のジョブが実行される予定のときに完成されるべき書式からの情報を含み、入力は、ジョブの種類のジョブが終了しようとしているときか完了したときに書式上で完成される情報である。
【００１８】
一実施形態では、情報は、表示された情報に関して受信した入力に従ってジョブを実行することが許可されているか否かをユーザーに示すようにモバイル設備によって実行することができる１つ以上のチェックを含む。このようにして、例えば、その特定のジョブについてすべての安全チェックが行われ、それらがデバイスへの入力によって安全チェックを確認するまで、その人はそのジョブを実行することを許可されない。さらに入力をアップロードすると、コンプライアンス監視が可能になる。
【００１９】
本発明の別の態様によれば、以下のように構成されたプロセッサーを含むシステムが開示され、
モバイル設備を所持している人が実行するジョブを選択し、ジョブに関連する情報、ジョブに必要な許可、ジョブの実施計画、ジョブに関連するリスク、ジョブに関連して使用される設備を含む情報をモバイル設備にダウンロードし、
ジョブに必要な許可に関する情報、ジョブの実施計画に関する情報、ジョブに関連するリスクに関する情報、ジョブに関連して使用される設備に関する情報のうちの１つの選択に対応する表示を表示し、
表示のうちの１つの選択を受信し、
受信した選択に従ってダウンロードされた情報の少なくとも一部を表示し、
人によるジョブの遂行に関連して表示された情報の使用に関連するモバイル設備への入力を受信し、
入力をアップロードし、これにより、個人によるジョブの遂行に関連して表示された情報の使用の記録を記憶することができる。
【００２０】
一実施形態では、プロセッサーはさらに以下のように設定され、
選択のために１つ以上の動作をユーザーに提供し、
動作の１つの選択を受信し、
選択を送信し、選択の送信は、選択された動作を開始し、選択された動作が完了するまで他のユーザーによる選択された動作に関連する１つ以上の動作の選択をブロックする。
【００２１】
一実施形態では、プロセッサーはさらに以下のように設定され、
通常選択可能な１つ以上の動作をユーザーに提供し、
関連する動作が開始されたときにリモートシステムからブロック通信を受信し、
関連する動作が完了するまで、少なくとも１つの動作の選択をブロックし、
関連する動作が完了したことを示すブロック解除通信を受信し、動作の１つを選択できるようにする。
【００２２】
一実施形態では、プロセッサーはさらに以下のように設定され、
ユーザーがアップロードされた入力への変更を許可する役割を有していない限り、アップロードされた入力を変更からロックする。
【００２３】
一実施形態では、プロセッサーはさらに以下のように設定され、
ユーザーがアップロードされた入力への変更を許可する役割を有しているときにアップロードされた入力への変更を許可し、変更されたアップロードされた入力を送信することを許可し、
ユーザーがアップロードされた入力に変更を加えることを許可しない役割を有している場合、アップロードされた入力に加えられる変更を許可しない。
【００２４】
一実施形態では、プロセッサーはさらに以下のように設定され、
安全な労働条件を示す期待回答をデータリポジトリから受信し、
受信した各入力が、それぞれ受信した期待回答と一致するユーザーからの受信回答を表すことを確認し、
チェックされた回答の１つ以上が期待回答と一致しない場合、労働条件が危険であることを示す。
【００２５】
一実施形態では、システムはジョブによって階層的に構造化されたデータベースを含み、各ジョブ内にはジョブ遂行のための組織構造およびジョブ遂行のためのタスク構造に関するフィールドがある。一実施形態では、組織構造は、手順、リスク限度、担当者、化学物質、設備およびリストに関する情報のうちの１つまたは複数を含む。一実施形態では、リストは、方法ステップ、タスク、リスクおよび制御のうちの１つまたは複数を含む。一実施形態では、ジョブ構造は、ジョブ詳細、顧客詳細、ジョブの役割、計画／仕様、およびリスク警告のうちの１つまたは複数を含む。
【００２６】
一実施形態では、データベースは通信記録をさらに含む。一実施形態では、通信は、会議、報告、完成された書式、および警告のうちの１つまたは複数をさらに含む。一実施形態では、完成された書式は、許可、計画、設備およびリスク評価のうちの１つ以上を含む。
【００２７】
一実施形態では、データベースは、担当者がデータベースを作成、編集、およびアクセスするための許可をさらに含む。一実施形態では、許可は、その担当者が本社担当者、プロジェクトマネージャー、現場監督、または現場作業員であるかどうかによって設定される。一実施形態では、担当者が許可発行者、許可保有者、許可に関連して働く現場作業員、または本社担当者、プロジェクトマネージャー、現場監督のいずれであるかによって、いくつかの許可が設定される。
【００２８】
一実施形態では、データベースは、
情報のアップロード後にユーザーが選択するための１つ以上の動作と、
選択可能な動作に関連する各動作が保留中であるかどうかの記録とをさらに含み、
データベースは、関連動作が保留中であるときに動作のためのブロック、または関連動作が完了したときに動作を選択するための許可をモバイル設備に送信するように設定される。
【００２９】
一実施形態では、データベースはユーザーがアップロードされた入力への変更を許可する役割を有していない限り、アップロードされた入力を変更からロックするかどうかを示す記録をさらに含む。
【００３０】
一実施形態では、データベースは安全な労働条件を示す期待回答をさらに含み、そこではモバイル設備は、チェックされた１つ以上の回答が期待回答と一致しない場合、作業条件が危険であることを示すために、各受信された入力がそれぞれの受信された期待回答と一致するユーザーからの受信された回答を表すことを確認できる。
【００３１】
一実施形態では、現場作業員はモバイルアプリケーションを介して本発明にアクセスする。一実施形態では、現場監督はモバイルアプリケーションを介して本発明にアクセスする。一実施形態では、プロジェクトマネージャーは、モバイルアプリケーションおよび／またはパーソナルコンピューターを介して本発明にアクセスする。一実施形態では、本社担当者は、モバイルアプリケーションおよび／またはパーソナルコンピューターを介して本発明にアクセスする。
【００３２】
一実施形態では、プロジェクトマネージャーは、ジョブ要件を達成するための計画を定義し割り当てるための許可を有する。一実施形態では、すべての担当者が計画を閲覧することができる。
【００３３】
一実施形態では、（適切な資格を有する）特定の担当者が許可を作成する資格を有し、当該許可を得て作業を行うことを現場作業員に許可する。一実施形態では、特定の担当者は、許可を保持する資格があり、許可の条件を満たす責任がある許可の所有者を割り当てる許可を有する。一実施形態では、プロジェクトマネージャーおよび現場監督者は、自身が責任を有するジョブに関して発行された許可を閲覧する許可を有する。一実施形態では、特定の担当者は別の資格のある許可発行者と許可を共有することができる。一実施形態では、許可保有者は、割り当てられた許可を閲覧して受け入れる許可を有する。一実施形態では、現場作業員は許可の下でジョブを見て受け入れる許可を有する。一実施形態では、移行が受諾された場合、許可保有者は許可を別の資格のある許可保有者に移行する許可を有する。一実施形態では、許可保有者は、許可の下で作業を実行するために他の要員を追加する許可を有する。
【００３４】
一実施形態では、現場監督およびプロジェクトマネージャーは、ジョブ安全性評価（ＪＳＡ）を作成する許可を有する。一実施形態では、現場作業員は、ＪＳＡへの変更を承諾または提案する許可を有する。
【００３５】
一実施形態では、すべての担当者が開始前チェックリストを完成させる許可を有する。一実施形態では、チェックリストは規定されている。一実施形態では、現場監督者およびプロジェクトマネージャーは、完成したすべての開始前チェックリストを閲覧することができる。
【００３６】
開始前チェックリストが首尾よく完了しない実施形態では、システムは、失敗したチェックリストに関して警告を作成するように設定される。
【００３７】
一実施形態では、現場作業員は迅速なリスク評価を作成する許可を有する。一実施形態では、現場監督者およびプロジェクトマネージャーは、完了したすべての迅速なリスク評価を閲覧することができる。
【００３８】
迅速なリスク評価が首尾よく完了しない実施形態では、システムは、失敗した迅速なリスク評価に関して警告を作成するように設定される。
【００３９】
一実施形態では、本社担当者は登録簿を作成する許可を有する。一実施形態では、他の担当者はその登録簿を閲覧する許可を有する。
【００４０】
一実施形態では、本社担当者およびプロジェクトマネージャーは、ジョブ上のすべての関係者に対して警告を作成する許可を有する。
【００４１】
一実施形態では、現場作業員は、危険報告または事故報告を作成する許可を有する。一実施形態では、ユーザーは報告にアクセスする許可を有する。
【００４２】
一実施形態では、システムは、ホーム画面上の選択のためにモバイル装置上に４つの主要なアイコンを表示するように構成され、当該アイコンはそれぞれ許可、計画、設備、またはリスク評価を表す。一実施形態では、情報の閲覧およびこれらのうちの１つに関連する情報の入力は、階層的に表示または受信される。一実施形態では、これらの見出しの下にメニューオプションが提示され、これらのタイプの情報に関する１つ以上の書式を完成するために１つの画面から次の画面へと順次進行する。
【００４３】
一実施形態では、システムは、通信ツールへのアクセスを可能にする通信アイコンをホーム画面上に提供するように設定される。一実施形態では、通信アイコンはまた、通信が担当者の注意をいつ必要としているかを表す。
【００４４】
一実施形態では、モバイル装置は、ネットワーク通信が切断された後にネットワーク通信が再確立されたときにデータをシステムデータベースとシンクロさせるように設定される。
【００４５】
一実施形態では、モバイル装置は、検索可能および拡張可能な情報のリストによって設定される。
【００４６】
一実施形態では、システムは、入力されたデータをログに記録した後、書式の完成とタスクの開始および完成とを一致させて、安全プロトコルへの準拠を確実にするように設定される。一実施形態では、ログはタイムスタンプを含む。一実施形態では、ログは位置記録を含む。一実施形態では、ログは、バーコードスキャンまたはベアフィールドデバイススキャンなどの他の入力を含むことができる。
【００４７】
一実施形態では、システムは、許可または計画または他の要件のうちの１つ以上の有効期間をテストし、現在の時刻が有効期間内でない場合に警告を作成するように設定される。
【００４８】
一実施形態では、システムは、許可または計画または他の要件のうちの１つ以上の有効な地域の適用可能性をテストし、それぞれの許可、計画、またはその他の要件の要求を開始したときに現在の場所が有効な場所内にない場合に警告を生成するように設定される。
【００４９】
一実施形態では、システムは、許可を発行しようとしている担当者の記録、および許可の発行が意図されている担当者の記録に対して、許可の発行の要件をチェックするように設定され、要件が満たされていないと、要件が満たされていないという警告が表示される。一実施形態では、許可要件が満たされない場合に許可を発行することができないようにシステムが設定される。
【００５０】
一実施形態では、システムは、ＪＳＡが作成されているアクティビティ内の方法ステップの選択を受け取り、選択された方法ステップに適用可能なリスクの選択を受け取り、制御の選択を受信することによってＪＳＡを作成するように設定され、選択したリスクを軽減する；選択された各リスクについてのリスク格付けの選択を受信する；ＪＳＡが適用される１人以上の要員の選択を受信する。
【００５１】
選択された各リスクに一実施形態では、方法ステップは、所定の方法ステップのリストから選択することができる。一実施形態では、リスクは、所定のリスクのリストから選択され得る。一実施形態では、制御は、所定の制御のリストから選択することができる。一実施形態では、リスク格付けは、所定のリスク格付けマトリックスから選択されてもよい。一実施形態では、職員は、ＪＳＡが作成されているジョブに割り当てられた職員の所定のリストから選択することができる。
【００５２】
一実施形態では、選択された各担当者に、ＪＳＡの承認を要求するためのメッセージが送信される。
【００５３】
一実施形態では、システムは、実行されるべきタスクの選択を受信することによってリスク評価を作成するように設定され、選択されたタスクにあてはまる可能性があるリスクの選択を受信し、選択された可能性のあるリスクを軽減するための制御の選択を受信する。
【００５４】
一実施形態では、タスクは、所定のタスクのリストから選択することができる。一実施形態では、可能性のあるリスクは、可能性のあるリスクの所定のリストから選択することができる。一実施形態では、制御は、所定の制御のリストから選択することができる。
【００５５】
一実施形態では、システムは、設備のアイテムの使用前に実行されるチェックに関する情報を表示するように設定され（開始前（プレスタート））、チェックされる設備のアイテムの各部分にチェックボックスを提供し、部品がチェックされたときに選択を受信し、チェックリストが正常に完成するまでアイテムを使用できないというメッセージを表示する。一実施形態では、チェックリスト内の項目が開始前チェックの失敗として選択された場合、システムは警告を作成するように設定される。一実施形態では、設備の項目は、修理または交換されるまで、故障中としてデータベース内で注意を与えられてもよい。
【００５６】
一実施形態では、開始前（プレスタート）は、例えばバーコードスキャン、シリアル番号の入力、または他の手段によって設備の品目を識別することを含む。
【００５７】
一実施形態では、システムは、検査される設備または部品の品目、または部品の検査方法に関する情報を表示するように設定される。
【００５８】
一実施形態では、ジョブへの割り当ては、モバイル装置を携帯しているどの担当者が退出すべきでないか、参加すべきでないかに関する情報をデータベースから検索することによってジオフェンスの作成をもたらすことができ、モバイル装置は、その位置をジオフェンスと照合し、ジオフェンスを越えたときに警告を発する。
【００５９】
本発明の別の態様によれば、
モバイル設備への通信チャネルと、
モバイル設備を所持する人によって実行されるべきジョブの選択を受信するように設定されるプロセッサーと、
ここで、プロセッサーは、選択されたジョブに関連する情報を検索してモバイル設備に送信するように構成され、情報は、ジョブに必要な許可、ジョブの実施計画、ジョブに関連するリスク、ジョブに関連して使用される設備を含み、
情報はモバイル装置に適切に表示され、
通信チャネルは、人によるジョブの遂行に関連して表示された情報の使用に関してモバイル装置によって受信された入力をモバイル装置から受信するように設定され、
人によるジョブの遂行に関連して表示された情報の使用の記録を記憶するための記憶装置と、
を含むシステムが開示されている。
【００６０】
本発明の別の態様によれば、モバイルコンピューター装置のユーザーに文書を提供する方法であって、
モバイル装置のユーザーを識別し、
ユーザーが割り当てられている１つ以上のジョブをデータリポジトリから受信し、
受信したジョブからジョブを選択し、
選択されたジョブに関して識別されたユーザーの役割をデータリポジトリから受信し、
文書タイプを選択し、
選択されたジョブおよび選択された文書タイプに従ってデータリポジトリから選択された文書タイプのテンプレートを検索し、
テンプレート文書をユーザーに表示し、
選択のために１つ以上の動作をユーザーに提供し、
動作のうちの１つの選択を受信し、
選択を送信し、選択の送信は、選択された動作を開始し、選択された動作が完了するまで他のユーザーによる選択された動作に関連する１つ以上の動作の選択をブロックする方法が開示されている。
【００６１】
本発明の別の態様によれば、モバイルコンピューター装置のユーザーに文書を提供する方法であって、
モバイル装置のユーザーを識別し、
ユーザーが割り当てられている１つ以上のジョブをデータリポジトリから受信し、
受信したジョブからジョブを選択し、
選択されたジョブに関して識別されたユーザーの役割をデータリポジトリから受信し、
文書タイプを選択し、
選択されたジョブおよび選択された文書タイプに従って、データリポジトリから選択された文書タイプの完成文書を検索し、
文書をユーザーに表示し、
通常選択可能な１つ以上の動作をユーザーに提供し、
関連する動作が開始されたときにリモートシステムからブロック通信を受信し、
関連する動作が完了するまで、少なくとも１つの動作の選択をブロックし、
関連する動作が完了したことを示すブロック解除通信を受信してから、動作の１つを選択できるようにする方法が開示されている。
【００６２】
本発明の別の態様によれば、モバイルコンピューター装置のユーザーに文書を提供する方法であって、
モバイル装置のユーザーを識別し、
ユーザーが割り当てられている１つ以上のジョブをデータリポジトリから受信し、
受信したジョブからジョブを選択し、
選択されたジョブに関して識別されたユーザーの役割をデータリポジトリから受信し、
文書タイプを選択し、
選択されたジョブおよび選択された文書タイプに従ってデータリポジトリから選択された文書タイプのテンプレートを検索し、
テンプレート文書をユーザーに表示し、
文書を提出し、
ユーザーが文書への変更を許可する役割を有していない限り、文書を変更からロックする方法が開示されている。
【００６３】
本発明の別の態様によれば、モバイルコンピューター装置のユーザーに文書を提供する方法であって、
モバイル装置のユーザーを識別し、
ユーザーが割り当てられている１つ以上のジョブをデータリポジトリから受信し、
受信したジョブからジョブを選択し、
選択されたジョブに関して識別されたユーザーの役割をデータリポジトリから受信し、
文書タイプを選択し、
選択されたジョブおよび選択された文書タイプに従ってデータリポジトリから完成した文書を検索し、
完成した文書をユーザーに表示する；
ユーザーが文書への変更を許可する役割を受け取ったときに、文書に変更を加え、変更された文書を提出することを許可し、
ユーザーが、文書に変更を加えることを許可しない役割を受け取ったときに、文書に変更を加えることを許可しない方法が開示されている。
【００６４】
本発明の別の態様によれば、モバイルコンピューター装置のユーザーに文書を提供する方法であって、
モバイル装置のユーザーを識別し、
ユーザーが割り当てられている１つ以上のジョブをデータリポジトリから受信し、
受信したジョブの中から１つのジョブを選択し、
選択されたジョブに関して識別されたユーザーの役割をデータリポジトリから受信し、
文書タイプを選択し、
選択されたジョブおよび選択された文書タイプに従ってデータリポジトリから選択された文書タイプのテンプレートを検索し、
テンプレート文書をユーザーに表示し、
文書内の質問に答えるためにユーザーから１つ以上の入力を受信し、
安全な労働条件を示す期待回答をデータリポジトリから受信し、
ユーザーから受信した各回答が、それぞれ受信した期待回答と一致することを確認し、
チェックされた回答の１つ以上が期待回答と一致しない場合、労働条件が危険であることを示す方法が開示されている。
【００６５】
一実施形態では、方法は、完成した文書を提出することをさらに含む。
【００６６】
一実施形態では、方法は、文書が提出されない限り、または前の回答が誤りだったこと、または条件が変化したことの確認が提供されない限り、回答の変更を防ぐことを含む。
【図面の簡単な説明】
【００６７】
よりよい理解を提供するために、単なる例として、添付の図面を参照しながら、本発明の実施形態を説明する。
【図１】ホーム画面の一実施形態を示し、システムおよび方法において４つの異なる機能がどこにつながるかを示すフローチャートである。
【図２】開示されたシステムおよび方法の実施形態を示すフローチャートである。
【図３】開示されたシステムおよび方法の実施形態を示すフローチャートである。
【図４】開示されたシステムおよび方法の実施形態を示すフローチャートである。
【図５】開示されたシステムおよび方法の実施形態を示すフローチャートである。
【図６】開示されたシステムおよび方法の実施形態を示すフローチャートである。
【図７】開示されたシステムおよび方法の実施形態を示すフローチャートである。
【図８】開示されたシステムおよび方法の実施形態を示すフローチャートである。
【図９】開示されたシステムおよび方法の実施形態を示すフローチャートである。
【図１０】開示されたシステムおよび方法の実施形態を示すフローチャートである。
【図１１】開示されたシステムおよび方法の実施形態を示すフローチャートである。
【図１２】開示されたシステムおよび方法の実施形態を示すフローチャートである。
【図１３】開示されたシステムおよび方法の実施形態を示すフローチャートである。
【図１４】担当者間の文書フローの実施形態を示す図である。
【図１５】例えば図１に示すようなメインページ、許可ページ、評価ページ、設備ページのスクリーンショットを示す図である。
【図１６】例えば図１に示すようなメインページ、許可ページ、評価ページ、設備ページのスクリーンショットを示す図である。
【図１７】例えば図１に示すようなメインページ、許可ページ、評価ページ、設備ページのスクリーンショットを示す図である。
【図１８】例えば図１に示すようなメインページ、許可ページ、評価ページ、設備ページのスクリーンショットを示す図である。
【図１９】例えば図１に示すようなメインページ、許可ページ、評価ページ、設備ページのスクリーンショットを示す図である。
【図２０】例えば図１に示すようなメインページ、許可ページ、評価ページ、設備ページのスクリーンショットを示す図である。
【図２１】例えば図１に示すようなメインページ、許可ページ、評価ページ、設備ページのスクリーンショットを示す図である。
【図２２】例えば図１に示すようなメインページ、許可ページ、評価ページ、設備ページのスクリーンショットを示す図である。
【図２３】例えば図１に示すようなメインページ、許可ページ、評価ページ、設備ページのスクリーンショットを示す図である。
【図２４】例えば図１に示すようなメインページ、許可ページ、評価ページ、設備ページのスクリーンショットを示す図である。
【図２５】例えば図１に示すようなメインページ、許可ページ、評価ページ、設備ページのスクリーンショットを示す図である。
【図２６】例えば図１に示すようなメインページ、許可ページ、評価ページ、設備ページのスクリーンショットを示す図である。
【図２７】例えば図１に示すようなメインページ、許可ページ、評価ページ、設備ページのスクリーンショットを示す図である。
【図２８】例えば図１に示すようなメインページ、許可ページ、評価ページ、設備ページのスクリーンショットを示す図である。
【図２９】例えば図１に示すようなメインページ、許可ページ、評価ページ、設備ページのスクリーンショットを示す図である。
【図３０】例えば図１に示すようなメインページ、許可ページ、評価ページ、設備ページのスクリーンショットを示す図である。
【図３１】例えば図１に示すようなメインページ、許可ページ、評価ページ、設備ページのスクリーンショットを示す図である。
【図３２】例えば図１に示すようなメインページ、許可ページ、評価ページ、設備ページのスクリーンショットを示す図である。
【図３３】例えば図１に示すようなメインページ、許可ページ、評価ページ、設備ページのスクリーンショットを示す図である。
【図３４】例えば図１に示すようなメインページ、許可ページ、評価ページ、設備ページのスクリーンショットを示す図である。
【図３５】例えば図１に示すようなメインページ、許可ページ、評価ページ、設備ページのスクリーンショットを示す図である。
【図３６】例えば図１に示すようなメインページ、許可ページ、評価ページ、設備ページのスクリーンショットを示す図である。
【図３７】例えば図１に示すようなメインページ、許可ページ、評価ページ、設備ページのスクリーンショットを示す図である。
【図３８】例えば図１に示すようなメインページ、許可ページ、評価ページ、設備ページのスクリーンショットを示す図である。
【図３９】例えば図１に示すようなメインページ、許可ページ、評価ページ、設備ページのスクリーンショットを示す図である。
【図４０】例えば図１に示すようなメインページ、許可ページ、評価ページ、設備ページのスクリーンショットを示す図である。
【図４１】例えば図１に示すようなメインページ、許可ページ、評価ページ、設備ページのスクリーンショットを示す図である。
【図４２】例えば図１に示すようなメインページ、許可ページ、評価ページ、設備ページのスクリーンショットを示す図である。
【図４３】例えば図１に示すようなメインページ、許可ページ、評価ページ、設備ページのスクリーンショットを示す図である。
【図４４】例えば図１に示すようなメインページ、許可ページ、評価ページ、設備ページのスクリーンショットを示す図である。
【図４５】例えば図１に示すようなメインページ、許可ページ、評価ページ、設備ページのスクリーンショットを示す図である。
【図４６】例えば図１に示すようなメインページ、許可ページ、評価ページ、設備ページのスクリーンショットを示す図である。
【図４７】例えば図１に示すようなメインページ、許可ページ、評価ページ、設備ページのスクリーンショットを示す図である。
【図４８】例えば図１に示すようなメインページ、許可ページ、評価ページ、設備ページのスクリーンショットを示す図である。
【図４９】例えば図１に示すようなメインページ、許可ページ、評価ページ、設備ページのスクリーンショットを示す図である。
【図５０】例えば図１に示すようなメインページ、許可ページ、評価ページ、設備ページのスクリーンショットを示す図である。
【図５１】例えば図１に示すようなメインページ、許可ページ、評価ページ、設備ページのスクリーンショットを示す図である。
【図５２】例えば図１に示すようなメインページ、許可ページ、評価ページ、設備ページのスクリーンショットを示す図である。
【図５３】例えば図１に示すようなメインページ、許可ページ、評価ページ、設備ページのスクリーンショットを示す図である。
【図５４】例えば図１に示すようなメインページ、許可ページ、評価ページ、設備ページのスクリーンショットを示す図である。
【図５５】例えば図１に示すようなメインページ、許可ページ、評価ページ、設備ページのスクリーンショットを示す図である。
【図５６】例えば図１に示すようなメインページ、許可ページ、評価ページ、設備ページのスクリーンショットを示す図である。
【図５７】本発明の一実施形態によるシステムの概略ブロック図である。
【図５８】本発明の一実施形態によるモバイル装置の概略ブロック図である。
【図５９】本発明の一実施形態によるデータベースの相関図である。
【図６０】動作フローの実施形態を表すフローチャートである。
【図６１】長期許可フローの一実施形態を示すフローチャートである。
【図６２】短期許可フローの一実施形態を示すフローチャートである。
【図６３】ジョブ安全性解析フローの実施形態を示すフローチャートである。
【図６４】動作ブロックフローの実施形態を示すフローチャートである。
【図６５】本発明の他の実施形態の代替のフローのフローチャートおよびスクリーンショットを示す。
【図６６】本発明の他の実施形態の代替のフローのフローチャートおよびスクリーンショットを示す。
【図６７】本発明の他の実施形態の代替のフローのフローチャートおよびスクリーンショットを示す。
【図６８】本発明の他の実施形態の代替のフローのフローチャートおよびスクリーンショットを示す。
【図６９】本発明の他の実施形態の代替のフローのフローチャートおよびスクリーンショットを示す。
【図７０】本発明の他の実施形態の代替のフローのフローチャートおよびスクリーンショットを示す。
【図７１】本発明の他の実施形態の代替のフローのフローチャートおよびスクリーンショットを示す。
【図７２】本発明の他の実施形態の代替のフローのフローチャートおよびスクリーンショットを示す。
【図７３】本発明の他の実施形態の代替のフローのフローチャートおよびスクリーンショットを示す。
【図７４】本発明の他の実施形態の代替のフローのフローチャートおよびスクリーンショットを示す。
【図７５】本発明の他の実施形態の代替のフローのフローチャートおよびスクリーンショットを示す。
【図７６】本発明の他の実施形態の代替のフローのフローチャートおよびスクリーンショットを示す。
【図７７】本発明の他の実施形態の代替のフローのフローチャートおよびスクリーンショットを示す。
【図７８】本発明の他の実施形態の代替のフローのフローチャートおよびスクリーンショットを示す。
【図７９】本発明の他の実施形態の代替のフローのフローチャートおよびスクリーンショットを示す。
【図８０】本発明の他の実施形態の代替のフローのフローチャートおよびスクリーンショットを示す。
【図８１】本発明の他の実施形態の代替のフローのフローチャートおよびスクリーンショットを示す。
【図８２】本発明の他の実施形態の代替のフローのフローチャートおよびスクリーンショットを示す。
【図８３】本発明の他の実施形態の代替のフローのフローチャートおよびスクリーンショットを示す。
【図８４】本発明の他の実施形態の代替のフローのフローチャートおよびスクリーンショットを示す。
【図８５】本発明の他の実施形態の代替のフローのフローチャートおよびスクリーンショットを示す。
【図８６】本発明の他の実施形態の代替のフローのフローチャートおよびスクリーンショットを示す。
【図８７】本発明の他の実施形態の代替のフローのフローチャートおよびスクリーンショットを示す。
【図８８】本発明の他の実施形態の代替のフローのフローチャートおよびスクリーンショットを示す。
【図８９】本発明の他の実施形態の代替のフローのフローチャートおよびスクリーンショットを示す。
【図９０】本発明の他の実施形態の代替のフローのフローチャートおよびスクリーンショットを示す。
【図９１】本発明の他の実施形態の代替のフローのフローチャートおよびスクリーンショットを示す。
【図９２】本発明の他の実施形態の代替のフローのフローチャートおよびスクリーンショットを示す。
【図９３】本発明の他の実施形態の代替のフローのフローチャートおよびスクリーンショットを示す。
【図９４】本発明の他の実施形態の代替のフローのフローチャートおよびスクリーンショットを示す。
【図９５】本発明の他の実施形態の代替のフローのフローチャートおよびスクリーンショットを示す。
【図９６】本発明の他の実施形態の代替のフローのフローチャートおよびスクリーンショットを示す。
【図９７】本発明の他の実施形態の代替のフローのフローチャートおよびスクリーンショットを示す。
【図９８】本発明の他の実施形態の代替のフローのフローチャートおよびスクリーンショットを示す。
【図９９】本発明の他の実施形態の代替のフローのフローチャートおよびスクリーンショットを示す。
【図１００】本発明の他の実施形態の代替のフローのフローチャートおよびスクリーンショットを示す。
【図１０１】本発明の他の実施形態の代替のフローのフローチャートおよびスクリーンショットを示す。
【図１０２】本発明の他の実施形態の代替のフローのフローチャートおよびスクリーンショットを示す。
【図１０３】本発明の他の実施形態の代替のフローのフローチャートおよびスクリーンショットを示す。
【図１０４】本発明の他の実施形態の代替のフローのフローチャートおよびスクリーンショットを示す。
【図１０５】本発明の他の実施形態の代替のフローのフローチャートおよびスクリーンショットを示す。
【図１０６】本発明の他の実施形態の代替のフローのフローチャートおよびスクリーンショットを示す。
【図１０７】本発明の他の実施形態の代替のフローのフローチャートおよびスクリーンショットを示す。
【図１０８】本発明の他の実施形態の代替のフローのフローチャートおよびスクリーンショットを示す。
【図１０９】本発明の他の実施形態の代替のフローのフローチャートおよびスクリーンショットを示す。
【図１１０】本発明の他の実施形態の代替のフローのフローチャートおよびスクリーンショットを示す。
【図１１１】本発明の他の実施形態の代替のフローのフローチャートおよびスクリーンショットを示す。
【図１１２】本発明の他の実施形態の代替のフローのフローチャートおよびスクリーンショットを示す。
【図１１３】本発明の他の実施形態の代替のフローのフローチャートおよびスクリーンショットを示す。
【図１１４】本発明の他の実施形態の代替のフローのフローチャートおよびスクリーンショットを示す。
【図１１５】本発明の他の実施形態の代替のフローのフローチャートおよびスクリーンショットを示す。
【図１１６】本発明の他の実施形態の代替のフローのフローチャートおよびスクリーンショットを示す。
【図１１７】本発明の他の実施形態の代替のフローのフローチャートおよびスクリーンショットを示す。
【図１１８】本発明の他の実施形態の代替のフローのフローチャートおよびスクリーンショットを示す。
【図１１９】本発明の他の実施形態の代替のフローのフローチャートおよびスクリーンショットを示す。
【図１２０】本発明の他の実施形態の代替のフローのフローチャートおよびスクリーンショットを示す。
【図１２１】本発明の他の実施形態の代替のフローのフローチャートおよびスクリーンショットを示す。
【図１２２】本発明の他の実施形態の代替のフローのフローチャートおよびスクリーンショットを示す。
【図１２３】本発明の他の実施形態の代替のフローのフローチャートおよびスクリーンショットを示す。
【図１２４】本発明の他の実施形態の代替のフローのフローチャートおよびスクリーンショットを示す。
【図１２５】本発明の他の実施形態の代替のフローのフローチャートおよびスクリーンショットを示す。
【図１２６】本発明の他の実施形態の代替のフローのフローチャートおよびスクリーンショットを示す。
【図１２７】本発明の他の実施形態の代替のフローのフローチャートおよびスクリーンショットを示す。
【図１２８】本発明の他の実施形態の代替のフローのフローチャートおよびスクリーンショットを示す。
【図１２９】本発明の他の実施形態の代替のフローのフローチャートおよびスクリーンショットを示す。
【図１３０】本発明の他の実施形態の代替のフローのフローチャートおよびスクリーンショットを示す。
【図１３１】本発明の他の実施形態の代替のフローのフローチャートおよびスクリーンショットを示す。
【図１３２】本発明の他の実施形態の代替のフローのフローチャートおよびスクリーンショットを示す。
【図１３３】本発明の他の実施形態の代替のフローのフローチャートおよびスクリーンショットを示す。
【図１３４】本発明の他の実施形態の代替のフローのフローチャートおよびスクリーンショットを示す。
【図１３５】本発明の他の実施形態の代替のフローのフローチャートおよびスクリーンショットを示す。
【図１３６】本発明の他の実施形態の代替のフローのフローチャートおよびスクリーンショットを示す。
【図１３７】本発明の他の実施形態の代替のフローのフローチャートおよびスクリーンショットを示す。
【図１３８】本発明の他の実施形態の代替のフローのフローチャートおよびスクリーンショットを示す。
【図１３９】本発明の他の実施形態の代替のフローのフローチャートおよびスクリーンショットを示す。
【図１４０】本発明の他の実施形態の代替のフローのフローチャートおよびスクリーンショットを示す。
【図１４１】本発明の他の実施形態の代替のフローのフローチャートおよびスクリーンショットを示す。
【図１４２】本発明の他の実施形態の代替のフローのフローチャートおよびスクリーンショットを示す。
【図１４３】本発明の他の実施形態の代替のフローのフローチャートおよびスクリーンショットを示す。
【図１４４】本発明の他の実施形態の代替のフローのフローチャートおよびスクリーンショットを示す。
【図１４５】本発明の他の実施形態の代替のフローのフローチャートおよびスクリーンショットを示す。
【図１４６】本発明の他の実施形態の代替のフローのフローチャートおよびスクリーンショットを示す。
【図１４７】本発明の他の実施形態の代替のフローのフローチャートおよびスクリーンショットを示す。
【図１４８】本発明の他の実施形態の代替のフローのフローチャートおよびスクリーンショットを示す。
【図１４９】本発明の他の実施形態の代替のフローのフローチャートおよびスクリーンショットを示す。
【図１５０】本発明の他の実施形態の代替のフローのフローチャートおよびスクリーンショットを示す。
【図１５１】本発明の他の実施形態の代替のフローのフローチャートおよびスクリーンショットを示す。
【図１５２】本発明の他の実施形態の代替のフローのフローチャートおよびスクリーンショットを示す。
【図１５３】本発明の他の実施形態の代替のフローのフローチャートおよびスクリーンショットを示す。
【図１５４】本発明の他の実施形態の代替のフローのフローチャートおよびスクリーンショットを示す。
【図１５５】本発明の他の実施形態の代替のフローのフローチャートおよびスクリーンショットを示す。
【図１５６】本発明の他の実施形態の代替のフローのフローチャートおよびスクリーンショットを示す。
【図１５７】本発明の他の実施形態の代替のフローのフローチャートおよびスクリーンショットを示す。
【図１５８】本発明の他の実施形態の代替のフローのフローチャートおよびスクリーンショットを示す。
【図１５９】本発明の他の実施形態の代替のフローのフローチャートおよびスクリーンショットを示す。
【図１６０】本発明の他の実施形態の代替のフローのフローチャートおよびスクリーンショットを示す。
【図１６１】本発明の他の実施形態の代替のフローのフローチャートおよびスクリーンショットを示す。
【図１６２】本発明の他の実施形態の代替のフローのフローチャートおよびスクリーンショットを示す。
【図１６３】本発明の他の実施形態の代替のフローのフローチャートおよびスクリーンショットを示す。
【図１６４】本発明の他の実施形態の代替のフローのフローチャートおよびスクリーンショットを示す。
【図１６５】本発明の他の実施形態の代替のフローのフローチャートおよびスクリーンショットを示す。
【図１６６】本発明の他の実施形態の代替のフローのフローチャートおよびスクリーンショットを示す。
【図１６７】本発明の他の実施形態の代替のフローのフローチャートおよびスクリーンショットを示す。
【図１６８】本発明の他の実施形態の代替のフローのフローチャートおよびスクリーンショットを示す。
【図１６９】本発明の他の実施形態の代替のフローのフローチャートおよびスクリーンショットを示す。
【図１７０】本発明の他の実施形態の代替のフローのフローチャートおよびスクリーンショットを示す。
【図１７１】本発明の他の実施形態の代替のフローのフローチャートおよびスクリーンショットを示す。
【図１７２】本発明の他の実施形態の代替のフローのフローチャートおよびスクリーンショットを示す。
【図１７３】本発明の他の実施形態の代替のフローのフローチャートおよびスクリーンショットを示す。
【図１７４】本発明の他の実施形態の代替のフローのフローチャートおよびスクリーンショットを示す。
【図１７５】本発明の他の実施形態の代替のフローのフローチャートおよびスクリーンショットを示す。
【図１７６】本発明の他の実施形態の代替のフローのフローチャートおよびスクリーンショットを示す。
【図１７７】本発明の他の実施形態の代替のフローのフローチャートおよびスクリーンショットを示す。
【図１７８】本発明の他の実施形態の代替のフローのフローチャートおよびスクリーンショットを示す。
【図１７９】本発明の他の実施形態の代替のフローのフローチャートおよびスクリーンショットを示す。
【図１８０】本発明の他の実施形態の代替のフローのフローチャートおよびスクリーンショットを示す。
【図１８１】本発明の他の実施形態の代替のフローのフローチャートおよびスクリーンショットを示す。
【図１８２】本発明の他の実施形態の代替のフローのフローチャートおよびスクリーンショットを示す。
【図１８３】本発明の他の実施形態の代替のフローのフローチャートおよびスクリーンショットを示す。
【図１８４】本発明の他の実施形態の代替のフローのフローチャートおよびスクリーンショットを示す。
【図１８５】本発明の他の実施形態の代替のフローのフローチャートおよびスクリーンショットを示す。
【図１８６】本発明の他の実施形態の代替のフローのフローチャートおよびスクリーンショットを示す。
【図１８７】本発明の他の実施形態の代替のフローのフローチャートおよびスクリーンショットを示す。
【図１８８】本発明の他の実施形態の代替のフローのフローチャートおよびスクリーンショットを示す。
【図１８９】本発明の他の実施形態の代替のフローのフローチャートおよびスクリーンショットを示す。
【図１９０】本発明の他の実施形態の代替のフローのフローチャートおよびスクリーンショットを示す。
【図１９１】本発明の他の実施形態の代替のフローのフローチャートおよびスクリーンショットを示す。
【図１９２】本発明の他の実施形態の代替のフローのフローチャートおよびスクリーンショットを示す。
【図１９３】本発明の他の実施形態の代替のフローのフローチャートおよびスクリーンショットを示す。
【図１９４】本発明の他の実施形態の代替のフローのフローチャートおよびスクリーンショットを示す。
【図１９５】本発明の他の実施形態の代替のフローのフローチャートおよびスクリーンショットを示す。
【図１９６】本発明の他の実施形態の代替のフローのフローチャートおよびスクリーンショットを示す。
【図１９７】本発明の他の実施形態の代替のフローのフローチャートおよびスクリーンショットを示す。
【図１９８】本発明の他の実施形態の代替のフローのフローチャートおよびスクリーンショットを示す。
【図１９９】本発明の他の実施形態の代替のフローのフローチャートおよびスクリーンショットを示す。
【図２００】本発明の他の実施形態の代替のフローのフローチャートおよびスクリーンショットを示す。
【図２０１】本発明の他の実施形態の代替のフローのフローチャートおよびスクリーンショットを示す。
【図２０２】本発明の他の実施形態の代替のフローのフローチャートおよびスクリーンショットを示す。
【発明を実施するための形態】
【００６８】
本開示は、本発明による様々な実施形態を製造および使用する最良の形態を可能にする方法で説明するために提供される。本開示は、本発明を限定するものではなく、むしろ本発明の原理およびその利点についての理解および認識を高めるためにさらに提供される。本発明の好ましい実施形態をここに図示し説明したが、本発明がそのように限定されないことは明らかである。添付の特許請求の範囲によって定義される本発明の精神および範囲から逸脱することなく、本開示の利益を享受する当業者には多数の修正、変更、変形、置換、および同等物が思い浮かぶであろう。
【００６９】
第１および第２、上下などの関係用語がある場合、それらの使用は、必ずしも実際のそのような存在または動作間の関係または順序を必要とすることも暗示することもなく、単に他の存在または動作と区別するために使用されると理解される。
【００７０】
本発明の機能の多く、および本発明の原理の多くは、ソフトウェアプログラムまたは命令および特定用途向けＩＣなどの集積回路（ＩＣ）を用いて、またはそれらにおいて最良に実施される。簡潔さおよび本発明による原理および概念を曖昧にするいかなるリスクの最小化のために、そのようなソフトウェアおよびＩＣの議論がある場合は、好ましい実施形態内の原理および概念に関する本質に限定される。
【００７１】
現場におけるリスク管理のための情報を提供および受信するための方法およびシステム、より具体的には、許可、計画、リスク評価および設備情報、自動生成文書にアクセスするため、ならびにデータを送信し、許可の有無と場所に基づく通知を受信するための方法およびシステムが開示されている。上述のように、開示されたシステムおよび方法は、現場の担当者が自身のジョブに関連するリスクを管理することを可能にする。コンプライアンス監視が改善される（たとえば、ＧＰＳおよびタイムトラッキング活動によって）。
【００７２】
現場作業員用の他のツールは、以下を提供する全体構造およびナビゲーション方法によって提供される：
ａ）リスク制御の効果的な選択と実施；そして
ｂ）ログの自動生成などによる、リスク文書のタイムリーかつ効率的な完成。
【００７３】
以下の開示された構造ならびにナビゲーションシステムおよび方法は、ナビゲーションのためのプロセス、自動生成、許可および計画状況のための警告、設備開始前（プレスタート）視覚プロンプト、データベースタッピング、リアルタイムの自動警告、設備の大量使用チェック、設備のタグ付け自動リマインダーならびにペイントカラー置換を含む。
【００７４】
動作（例えば、合意または署名）を必要とする各文書は、ユーザーがその動作を実行することを可能にする動作ボタンを有するであろう。実行される動作は、文書の状況、および文書とジョブに関してユーザーが有している役割に従って調整される。実行されると、実行前の文書のコピーが保存され、新しい文書が作成される。別の要件が保留中の間、文書をロックすることができる。たとえば、許可がある所有者から別の所有者に移管される過程にある場合、現場の担当者は許可を受け入れることも許可を閉鎖することもできない。
【００７５】
使用される用語の定義は、埋め込み参照とともに提供される。例えば、リスクは選択されることができ、関連する定義および他の情報は説明されることになる。
【００７６】
一実施形態では、本発明のツールは、スマートフォンなどのモバイルコンピューター装置上で機能するアプリケーションを介して提供される。スマートフォンは、プロセッサー、メモリー、タッチ画面の形態の入力装置でもある表示画面、およびネットワーク通信装置を有するモバイルコンピューター装置であることが知られている。典型的には、スマートフォンは、メモリーに格納されたコンピュータープログラムが搭載され、プロセッサーによって実行されるとアプリケーションを形成する。言い換えれば、コンピュータープログラムは、本発明の一態様によるシステムとしてモバイル装置を構成するようにプロセッサーを制御するための命令を含む。コンピュータープログラム命令が実行されると、モバイル装置は本発明の別の態様による方法を実行する。
【００７７】
本発明は多くの方法で実施できることを理解されたい。本発明を実施する一方法は、以下に記載される実施形態に従う。
【００７８】
一実施形態では、ツールの一態様は、これらに限定されないが、ラップトップまたはデスクトップパーソナルコンピューターなどでのより一般的なコンピューター装置上に提供される。パーソナルコンピューターという用語は、オフィス環境で使用されるとき、サイズ、重量、およびモバイル性は一般的にはそれほど制約されないが、ポータブルコンピューティングデバイス上で実装され得るので、限定的であることを意図しない。以下により詳細に説明されるように、本発明の態様のいくつかは、現場で実施される必要はない。そのような実施は、パーソナルコンピューターにインストールされたソフトウェアによって提供することができ、あるいはパーソナルコンピューターにインストールされたブラウザを介するなどして、パーソナルコンピューターから評価可能な遠隔地にあるソフトウェアによって実施することができる。このような実施は、一般的にサービスモデルとしてのソフトウェアまたは「クラウド」内のソフトウェアと呼ばれる。
【００７９】
図５７を参照すると、本発明の一実施形態によるシステム１０００が示されており、このシステム１０００は、プロセッサー１００２、データベース１００４、メモリー／記憶デバイス１００８、コンピューターネットワーク１０１２（インターネットなど）に接続されたネットワークインターフェース１０１０を備える。ネットワーク１０１２は、複数のポータブルコンピューティングデバイス１０２０、１０２２および１０２４に接続するモバイル電話ネットワーク１０１４（または他の無線ネットワーク）を含む。ネットワーク１０１２はまた、パーソナルコンピューター１０３０にも接続する。
【００８０】
プロセッサー１００２上で実行されるのは、モバイルユーザーアプリケーションインターフェース１０４０およびバックエンドユーザーアプリケーション１０４２である。モバイルユーザーアプリケーションインターフェース１０４０は、ネットワークインターフェース１０１０、ネットワーク１０１２、１０３０を介して通信チャネル１０５２によってモバイル装置１０２０、１０２２および１０２４とインターフェースする。通信チャネルは、モバイル電話ネットワーク１０１４への通信１０５４と基地局とモバイル装置１０２０、１０２２、および１０２４との間の無線通信１０５６を含む。バックエンドユーザーアプリケーション１０４２は、ネットワーク１０１２を介してパーソナルコンピューター１０３０への通信チャネル１０５０を有する。
【００８１】
パーソナルコンピューター１０３０は、本発明へのアクセスを現場から離れた職員に与える。モバイルユーザーアプリケーションインターフェース１０４０は、パーソナルデバイス１０２０、１０２２および１０２４のオンサイトユーザーに本発明へのアクセスを与える。モバイルユーザーアプリケーション１０４０は、通信チャネル１０５６によってバックエンドユーザーアプリケーション１０４２と情報をやりとりし、情報を交換することができる。
【００８２】
図５８を参照すると、各パーソナルコンピューティングデバイス１０２０、１０２２および１０２４は、構成要素１１００を含む。これらの構成要素１１００は、プロセッサー１１０２、メモリー／ストレージ１１０４、ネットワークインターフェース１１０６、画面１１１０、および典型的には要素１１０８と１１１０を組み合わせたタッチ画面であるタッチ入力１１０８を含む。
【００８３】
プロセッサー１１０２上で実行されるのは、無線通信１１３４によってモバイル電話ネットワークとネットワークインターフェース１１０６およびアンテナ１１１２によって通信するモバイルユーザーアプリケーション１１２０である。モバイル電話ネットワークの代替として、Ｗｉ−Ｆｉネットワークまたは他の無線通信機を使用することもできる。モバイルユーザーアプリケーションインターフェース１０４０は、通信チャネル１１３０によってモバイルユーザーアプリケーション１１２０と通信することができる。モバイルユーザーアプリケーション１１２０は、通信チャネル１１３２を介してデータを保存することができる。
【００８４】
一実施形態では、データベース１００４は、図５９に示すように構成され、ジョブライブラリー１２１０の形態である。ジョブライブラリー１２１０は、組織データベース１２１２およびジョブデータベース１２１４を含む。組織データベース１２１２は、手順１２２０、リスク限度１２２２、担当者１２２４、化学物質１２２６、設備１２２８に関する情報を含む。それはまた、例えば方法ステップ、タスク、リスクおよび制御のようなリスト１２３０を含む。ジョブデータベース１２１４は、ジョブ詳細１２４０、クライアント詳細１２４２、ジョブ役割１２４４、計画／仕様１２４６、およびリスク警告１２４８を含む。ジョブライブラリー１２１０はまた、会議および報告、許可、計画、設備とリスク評価を含む完成された書類１２８０を含む格納された通信１２７０を含む。ジョブライブラリー１２１０は、プロジェクトマネージャー、本社担当者、および現場オペレーターを含む担当者によってジョブライブラリーを見るためにクエリ１２６０を行うことによって見ることができる。
【００８５】
図１４を参照すると、本発明は、本発明を使用する関係者によるリスク評価の表示を容易にし、これら関係者は、監督担当者１３０２、プロジェクトマネージャー１３０４、現場監督者１３０６および現場作業員１３０８を含む。監督担当者は、通常企業の本社に配置される。図１４は、これらの関係者が情報を伝達し、リスク評価を提供することができるスキーマ１３００を示す。スキーマ１３００は、これらの担当者が割り当てられているジョブのコンテキストで提供される。このジョブには、１人以上の監督担当者１３０２、１人以上のプロジェクトマネージャー１３０４、１人以上の現場監督者１３０６および１人以上の現場オペレーター１３０８が割り当てられる。
【００８６】
プロジェクトマネージャー１３０４は、パーソナルコンピューター１０３０またはモバイル用デバイス１０２０、１０２２または１０２４のうちの１つを使用して、ジョブの要件を達成するための計画１３２０を定義し、割り当てることができる。既知の種類のジョブについては、計画はそれらのジョブの種類のそれぞれの間で比較的一貫しているかもしれないが、それらは特定のジョブの要求に従って調整されうる。また、ジョブ要件に応じて個別に計画を立てることもできる。指定されると、その特定のジョブについて計画がデータベース１００４にロードされ、そのジョブに割り当てられたすべての担当者によってアクセスすることができる。
【００８７】
本社担当者１３０２は、どの現場監督者がどの許可を発行することを許可されているかを指定することができる。許可された現場監督者は許可１３４０を作成することができる。いくつかの許可はプロジェクトマネージャーまたは特定の許可発行者による承認を必要とするであろう。１３４０の許可に変更がなされる場合、プロジェクトマネージャー１３０４に通知する必要がある。許可は、現場監督者１３０６の間で共有することができる。ジョブの許可のように、ジョブの終わりにいくつかの許可１３４０を更新（閉鎖）しなければならない。いくつかの許可１３４０は、条件が変化したときに更新されなければならない。許可１３４０は、プロジェクトマネージャー１３０４、現場監督者１３０６および現場作業員１３０８と共有することができ、その後、プロジェクトマネージャー１３０４、現場監督者１３０６および現場作業員１３０８は許可を受け入れる必要がある。一般に、許可は長期許可または短期許可であってよく、それらについては以下でさらに説明する。
【００８８】
現場監督１３０６はまた、ジョブ安全評価（ＪＳＡ）１３３０を作成することができる。通常、ＪＳＡ１３３０は、現場で作業するすべての人、特に現場作業員１３０８によって承認されなければならない。ＪＳＡ１３３０は、現場で観察されたリスクを追加することも含めて更新することができる。ＪＳＡ１３３０が更新されると、それを受け入れたすべての担当者に自動的に更新が通知される。プロジェクトマネージャー１３０４はまた、ＪＳＡ１３３０に対するあらゆる変更について警告される。
【００８９】
プロジェクトマネージャー１３０４は、現場監督１３０６が実行することができるすべての作業を実行することができる。
【００９０】
現場作業員１３０８は、開始前チェックリスト１３３４を作成することができる。現場作業員１３０８は、それらが個人に合わせて調整されることを可能にする自身のプレスタート１３３４にのみアクセスすることができる。現場監督１３０６およびプロジェクトマネージャー１３０４は、指定されたジョブについてのすべての開始前（プレスタート）１３３４にアクセスすることができる。危険度の高い作業では、開始前（プレスタート）で提供されたチェックリストに従って何かが正しくない場合、現場の他の担当者に自動的に問題を警告することができる。
【００９１】
現場作業員１３０８はまた、テイク５と呼ばれる自身の迅速なリスク評価を取ることができる。「テイク５」は一般的に次のことを含み、１）見たり聞いたりするのをやめて作業領域を観察し、潜在的な問題やリスクに焦点を当てる；２）実行するタスクを確認する；３）リスクを特定する；４）リスクを管理する；５）作業を実行し、完了したら作業と作業領域を評価する。現場作業員１３０８は自分のテイク５にアクセスすることができるが、他の現場作業員１３０８は他の人のテイク５にアクセスすることはできない。現場監督１３０６およびプロジェクトマネージャー１３０４は、指定されたジョブについてすべてのテイク５にアクセスすることができる。
【００９２】
現場監督１３０６は現場作業員１３０８の全ての機能を実行することができる。
【００９３】
本社担当者１３０２は、登録簿１３２４を作成することができる。登録簿１３２４は、パーソナルコンピューター１０３０からメモリー１１０４にアップロードされ、モバイルユーザーアプリケーション１１２０を使用することによってアクセス可能である。本社担当者１３０２およびプロジェクトマネージャー１３０４は登録簿１３２４内の何かが変更されたとき警告を受けることができる。
【００９４】
本社は警告１３２２を作成することができ、それは彼らが現場作業員１３０８に重要な情報を通知する必要があるときである。警告１３２２はアプリ１１２０にプッシュされ、そこで人の注意を引くことができ、警告１３２２の詳細を把握するために検査されることができる。現場作業員１３０８はまた、危険が観察されたことまたは事件が発生したことを特定すると、危険または事故報告１３５０を作成することができ、本社担当者１３０２がアクセス可能なパーソナルコンピューター１０３０に表示するために、これはモバイル装置１０２０、１０２２および１０２４からモバイルユーザーアプリケーション１０４０へ、次いでバックエンドアプリケーション１０４２へプッシュされることによって、モバイルアプリケーション１１２０から本社で共有される。
【００９５】
システム１０００および方法１３００は、許可の承認の送信、リスク評価および許可の承認の確認のための送信、所有許可の送信および移譲、登録および計画へのアクセスを可能にするための全員への送信、プロジェクトマネージャーおよび現場監督がテイク５、ＪＳＡへのアクセスおよびＪＳＡへの文書の更新に関する開始前（プレスタート）および通知の通知を可能にするための登録、許可の送信、および警告の送信を許可する。
【００９６】
図１を参照すると、パーソナルデバイス１０２０、１０２２または１０２４のうちの１つでのアプリケーション１１２０の作業が概略的に示されている。５から開始して、現場の従業員（プロジェクトマネージャー、現場監督または現場作業員を含む）が彼らの識別が認識されるようにログインし、さらにジョブに割り当てられてもよい。彼らが一度に複数のジョブをしているのなら、彼らはこの状況でしているジョブを選択することができる。ジョブの選択に応じて、アプリケーション１１２０を介してデータベース１００４内でアクセス可能な情報は、そのジョブに特に合わせられる。
【００９７】
職種にかかわらず、情報の提示は一貫していることが意図されている。異なる種類の情報を表す４つの主要アイコンを含むホーム画面１２が示されている。ホーム画面１２から、モバイルコンピューター装置のユーザーは、主要なアイコンによって表される多くのツールにナビゲートすることができる。最初のアイコンは許可に関する情報を表す（左上隅）。右上隅の次のアイコンは、計画に関する情報を表す。右下隅の次のアイコンは設備に関する情報を表す。左下隅の最後のアイコンは、リスク評価に関する情報を表す。
【００９８】
これらのアイコンのうちの１つを選択することによって、アプリケーションのユーザーは、それぞれ許可１４、計画１６、設備１８、またはリスク評価２０を表す画面に導かれる。
【００９９】
これらの画面１４、１６、１８または２０のそれぞれにおいて、モバイル装置のオペレーターは、それぞれ許可、計画、設備またはリスク評価に特に関連する情報を提示される。そこから、人は別の選択をすることができ、次いで、例えばさらなる設備画面２４および２６またはさらなるリスク評価画面２２などに導かれる。ユーザーはまた、設定画面３０上の設定にアクセスすることができる。これはユーザーに関する情報を提供し、ユーザーはこのメニューの設定を変更することが出来る。
【０１００】
ホーム画面１２は、図１５により詳細に示されている。それは、（現場作業員１３０８または現場監督１３０６のような）モバイル装置の現場担当者ユーザーに警告するメッセージアイコン３１を右上隅に含み、表示を待機しているメッセージがあるときは、モバイル装置がメッセージアイコンでテキストメッセージが表示を待機しているときとほぼ同じように表示される。許可４２、計画４４、リスク評価４６および設備４８のアイコンが示される。以下にさらに説明されるように、他の有用な情報５０への他のアクセスのためのマイナーなアイコンもある。
【０１０１】
本発明におけるメニュー間のナビゲーションは階層的である。選択が行われると、ユーザーは階層の中の次のレベルのメニューに移動し、入力または表示される情報から選択することができる。メニュー内の項目の選択は、タッチ画面が作動する通常の方法でそれぞれの領域をタッチすることによって行うことができる。データを入力するには、画面をタッチしてチェックボックス／ラジオボタンを選択するか、入力してテキストボックスにテキストを入力するか、テキストを音声入力でテキストボックスに情報を入力する。
【０１０２】
検索可能で拡張可能なリストを使用して方法ステップ、タスク、リスク、および制御を識別するためのプロンプトを提供することによって、ユーザーの記憶を促すような方法で情報が提示される。例えば、酸に関連したリスクがたくさんある。それらは、酸への暴露、酸の吸入、酸のこぼれ、酸の飲み込みなどを含む。ユーザーは、「酸」を入力するとこれらのリスクを提示され、これらのリスクに関する情報にアクセスすることができる。ユーザーは、そのリスクカテゴリーに関連付けられているリスクのリストを見ることが出来、一貫した階層的な方法で特定のリスクに関する情報を選択できる。
【０１０３】
管理者は、グローバル警告の発行同様、テンプレートおよび検索されたリスクリストの管理、許可発行権限を含む担当者の追加、手順の使用管理、資格および材料安全性およびデータシート（ＭＳＤＳ）情報などのタスクを実行するためのバックエンド情報にアクセスすることができる。
【０１０４】
プロジェクトマネージャーは、デスクトップフロントエンドにアクセスし、ジョブの作成、ジョブへの担当者の割り当て、定義された権限内でのジョブロールの設定、ジョブ計画の添付、およびジョブ警告（特定のジョブを操作する人々またはジョブの特定の側面に関連する人々への警告）の発行を含むタスクを実行できる。
【０１０５】
モバイルコンピューター装置上で実行されているモバイルアプリケーションは、プロジェクトマネージャー、現場監督、および現場作業員によってもアクセス可能であり、許可されている場合には許可を移行、許可をテストし閉鎖することで目立ったジョブを保留、締め切りＪＳＡの更新への署名を作成、テイク５の作成、設備の開始前（プレスタート）リスト、設備の故障、会議を記録する警告および会議の記録の閲覧、報告の閲覧、マシンの閲覧、ＭＳＤＳの閲覧、資格の閲覧、登録簿の閲覧および手順中の閲覧、電卓と安全思考チャレンジの使用を含むタスクを実行できる。
【０１０６】
ナビゲーション
Ａ）コミュニケーション活動（リスク警告、毎日のプレスタート会議、毎週のツールボックス会議、危険／事故報告、非コンプライアンス報告＆アイデアログなどを含む）は、モバイル装置の右上隅にあるアイコンからアクセスできる。重要なことに、このアイコンは固定されたままにしておくことができるので、インターフェース内のどの画面からでもアクセスできる。
Ｂ）４つのメインアイコンのうちの１つのメインボタンを選択することによって、図１のホーム画面１２に見られるようなリスクツールを選択することができる。選択は、通常の方法でタッチ画面の隣接部分をタッチすることである。図１の実施形態では、画面は、本発明の主要機能を表すそれぞれの画面１４、１６、１８または２０に移動する。
１．許可。このアイコンは、これに限定されないが以下を含む必要とされる可能性のあるすべての許可にユーザーを誘導する：
ａ．作業許可；
ｂ．高所作業；
ｃ．閉鎖空間侵入；
ｄ．熱所作業；
ｅ．アスベスト除去；
ｆ．発掘；
ｇ．貫通；
ｈ．高速切断鋸；
ｉ．高圧水噴射；
ｊ．環境（動植物）；
ｋ．植生の除去；
ｌ．文化領域へのアクセス；
ｍ．遺産建造物での作業。
２．計画。このアイコンは、これに限定されないが以下を含む必要とされる可能性があるすべての計画にユーザーを誘導する：
ａ．建設スケジュール；
ｂ．方法書；
ｃ．掘削前のダイヤル（ＤＢＹＤ）；
ｄ．汚染現場；
ｅ．環境（動植物）；
ｆ．文化領域；
ｇ．遺産建造物；
ｈ．検査とテスト計画；
ｉ．バイパス計画。
３．リスク評価。このアイコンは、これに限定されないが以下を含む要求される可能性のあるすべての評価にユーザーを誘導する：
ａ．契約リスク評価；
ｂ．ＪＳＡ；
ｃ．タスク評価；
ｄ．テイク５。
４．設備。このアイコンは、これに限定されないが以下を含む必要とされる可能性があるすべての設備文書にユーザーを誘導する：
ａ．設備リスク評価（設備の種類ごとに固有のテンプレートを含む）；
ｂ．設備の開始前（プレスタート）（設備の種類ごとに固有のテンプレートを含む）；
ｃ．これらに限定されないが以下を含む設備登録簿：
ｉ．資産登録簿；
ｉｉ．電気登録簿；
ｉｉｉ．ポータブルラダー登録簿；
ｉｖ．リフティングギア登録簿；
ｖ．ハーネスおよび回復設備登録簿；
ｄ．さらに、すべての登録簿には「使用停止タグ」機能がある。
Ｃ）図７６に示すように、使用頻度の低いリスクツールに５つのうち１つの補助リンクからアクセスできる：
１．化学物質またはＭＳＤＳ（化学物質登録簿および更新されたＭＳＤＳシートを調達する能力を含むＭＳＤＳシート）；
２．計算機（現場で一般的に行われている計算のためのリアルタイム計算ツール）；
３．トレーニング（自動期限切れ警告による現在の資格へのアクセス）；
４．緊急事態（ステージ的な緊急および避難指示）；
５．手順（雇用主の既存の手順を点検するためのアクセス）。
Ｄ）すべてのリスク管理文書はジョブ番号に添付されている。ただし、リスク文書を特定のＪＳＡに添付して埋め込むこともできる。これにより、現場の従業員は自分のＪＳＡを介して自分のジョブに適用可能なすべてのリスク文書に直接アクセスできる。
【０１０７】
自動生成
プロセス期間中のログ文書の記載された自動生成は、現場作業員が適時にテイク５（プロセス期間）およびログブック（ログ文書）を完了することを確実にすることによって、現場リスク管理における課題を排除するのを助ける。テイク５は、新しいタスクの開始前に完了する必要がある。各従業員の活動のログブックは、掘削機の操作、採掘、クレーン操作、長距離運転などを含む特定の危険度の高い作業のために維持されるべきである。
【０１０８】
開示されたシステムおよび方法は、テイク５のデータ入力および設備の開始前（プレスタート）に基づいて自動生成ログブックを提供する。つまり、テイク５テンプレートでは、ログブックを維持する必要がある活動を引き受けるかどうかを確認する必要がある。ユーザーがテイク５テンプレート内からこれらのアクティビティの１つを選択すると、ポップアップボックスがユーザーから追加情報を取得し、この追加データを使用してユーザーの関連するログブックに自動生成する。
【０１０９】
許可および計画状況への警告
異なる許可および計画は異なる有効期間を有する。たとえば、いくつかの許可および計画は短期間で数時間有効であり、その他のものは長期で３０日以上有効なものもある。現場作業員にとっての問題は、作業のタイムリーで継続的かつ安全な完了を確実にするための許可および計画の更新または再発行である。開示されたシステムおよび方法は以下を提供することができる：
ａ）ＪＳＡに記載されている有効期限が切れている、または期限切れになりそうな許可および計画に対してレッドクロスを適用；
ｂ）ＧＰＳおよびタイムスタンプデータに基づく有効期限切れの許可および計画の自動警告。
【０１１０】
特定のジョブを遂行するために特定の資格、経験または訓練が必要とされる特定のタスクを遂行するための許可が発行される。許可には、許可発行者、許可保有者、許可に該当するその他の担当者、許可テスター、許可クリアランス提供者などの役割が割り当てられてもよい。許可には、許可のよってもたらされる責任、開始時刻／日付、終了時刻／日付および制限時間もある。許可の例には、特定の作業現場での作業許可、掘削の作業許可、アスベスト除去の許可、熱所作業の許可、狭い場所での作業許可、高所での作業許可、高電圧付近での作業許可、高速切断鋸の使用許可、高圧水噴射の許可が含まれる。他の許可を必要に応じて与えることができる。
【０１１１】
許可メニュー１４は図１６により詳細に示されている。この画面は画面見出し３８を含む。許可のためにそれはまたリストされた許可が適用可能であるジョブを示す画面バー３８の下の情報バー３２を含む。それはまた、３４の選択によってジョブを切り替えるためのオプションを含む。見出しはまた、ホーム画面１２に戻るための逆矢印３６を含む。それはまた、メッセージアイコン３０を含み、メッセージの到着をこのレベルから見ることができる。
【０１１２】
この特定のジョブに対する許可が列挙されており、この例では、ジョブが下水道本管の交換である場合、許可は以下の通りである：高速切断鋸使用許可６０、高所での作業許可６２、現場での作業許可６４、クラスＢの高圧水噴射の許可６６、熱所作業の許可６８、掘削の作業許可７０、狭い場所での作業許可７２。作業許可６４は、７４の近傍を押下することによって選択される。これは、図１７に見られるように、この特定の許可についての情報をオープンにする。図１７は、モバイルアプリケーションによってデバイス表示画面のタイプ上に表示されたスクリーンショットを示し、上部は働くことを許可する許可８０の見出しである。許可についての詳細を示すメニューバー８２がある。ユーザーは、許可に関するさまざまな種類のカテゴリーの情報を選択できる。この場合、許可データ８４、許可に関する文書８６、および可動前チェック８８がある。これらのそれぞれを選択することができる。この例では、許可データタブが強調表示されており、ウィンドウ９０には作業許可に関する情報が提供されている。許可は、９４で示される日付から９６で示される有効終了日まで有効である。強調領域９６は、この日付を変更することができるように選択される。さらに、実行される作業の種類を定義するために、実行される作業の説明を選択９２ですることができる。現場作業員がアクセス可能なデータは、データベースから自動的に検索されるのでモバイル型装置のメモリーに自動的にロードされ表示される。許可の満了は、最大許容期間にリセットできる。
【０１１３】
許可の発行者は、すべての許可をチェックする責任を負う。許可の発行者は、参照チェックと介入によって誘導されることができる。許可の所持者は、許可に従って作業が行われることを確認する責任を負う。
【０１１４】
図１８を参照すると、タイトルバー１００に表示された許可された高所での作業の例が示されており、メニュースライダー１０２のメニュー項目「設備およびモードにアクセス」が選択され強調表示されている。これにより、この許可の性質、およびそれが発行されるために必要なもの、およびこの許可に必要なすべての制約に関する視覚的ガイドを含む情報がユーザーに提供される。１０４で示されるように、転倒を抑制することが要求されている。１０６で許可が必要とするものに関して視覚的ガイドがあり、この環境で作業するのに必要な設備は１０８で表示されている。
【０１１５】
図１９および図２０を参照すると、見出し１１０に示されているように、熱所作業許可の例が示されている。許可のチェックリストの項目は、バーメニュー１１２で選択することができ、項目はウィンドウ１１４に一覧表示される。チェックリストの項目で「この作業には壁、天井、または密閉された設備での熱所作業が含まれますか？」という質問がある。もしそうであれば、示されているようにイエスボックス１１６をチェックすることができる。これにより、その状況に関連した追加の要件が発生する可能性がある。
【０１１６】
図２０を参照すると、チェックリスト１１４のさらなる態様が示されている。１１６によって示されるように、チェックされることが要求される項目がそうでない場合、チェックリストによるすべての要件が満たされないために作業を進めることができないことを示す通知１１８が表示され得る。これにより、現場作業員は要件が何であるかを知り、要件が満たされていることを確認するプロセスを実行できる。必要な項目のいずれかが満たされていない場合、彼らは作業を進めることが許可されていないことを通知される。これはまた、状況が変わったときに答えを変えることを可能にする。チェックされた項目の要件を満たすことができるこの例では、それは対話式にそして自動的に通知１１８が変更される。
【０１１７】
許可を得ている人は誰でも役割特有の通知を受信することができる。許可に割り当てられた担当者がリストされてもよく、ユーザーがジョブを実行するためにどのような許可が必要であるかを知ることができるようにリマインダーを提供することができる。彼らが理解していることを示し、割り当てられ、この特定の許可に関連したリスクにおける役割に対する責任を受け入れているかの許可の理解の記録があるよう、ユーザーは、許可を確認して積極的に受諾することを要求される場合がある。
【０１１８】
図４に示すように、新しい許可を発行することができる。例えば、１５０に示すようにアスベスト除去許可が必要とされる場合である。１５２において新しい許可アイコンの作成を選択することができる。ユーザーは許可に必要なジョブ詳細およびタスクを含む許可詳細を提供する画面１５４に導かれる。次に、彼らは次の画面１５６に進むことができ、それは図２１に示されるように必要なアスベスト除去の種類を識別することであり、必要な情報のいくつかをより明確に示す。この画面で、ユーザーは、除去担当者が「１０ｍ２未満の砕けないアスベスト」の現在有効なライセンスを有しているかどうかを問い合わせることができる。１５６に示されるように、他の詳細が提供される。入力されると、ユーザーは進行することができ、画面１５８においてこのジョブに特有の許可およびリスクを必要とするジョブに関する情報を提供することができる。情報は、チェックボックスに入力することができ、あるいは画面１６０および１６２において自由テキストとして入力することができる。
【０１１９】
許可の作成の別の例が図５に示され、これは、図２２により詳細に示されている１７２から開始する狭所への入場許可を作成することである。許可に関する基本的な情報は、許可に必要なジョブ詳細およびタスクを含めて１７４に示されている。図２２に示されるように、担当者に１７６で許可が割り当てられる。許可の安全要件に関する情報は１８０および１８２に入力される。
【０１２０】
掘削許可のさらなる例を図６に関連して示される。許可の作成は１９０で始まり、次に１９２に進み、許可要求についての基本情報が許可に必要なジョブの詳細およびタスクを含めて表示される。掘削に関連して必要とされるクリアランス要件を含むタスクの要件がウィンドウズ１９４、１９６、１９８、２００および２０２に入力される。図２３は１９６の一部をより詳細に示す。このメニュー項目では、チェックボックスを選択して情報を入力できる。
【０１２１】
高圧水噴射の許可の作成のさらなる例が図７に関連して示されており、それは２１０で開始し、許可についての詳細が２１４に示されている。図２４で示されているようにプロセスは２１６にさらに詳細に入るために進む。この許可の要件に関する情報は、チェックボックスを完了することによって入力できる。
【０１２２】
熱所作業の許可の作成のさらなる例は、図８に関連して示されており、それは２２０で開始する。許可に関する基本情報は２２４に示されている。２２６にジョブについての情報が入力され、さらなる詳細が図２５に示される。２２８、２３０、および２３２には、作業に関する注意事項と、熱所作業の実行を支援することが許可されている人も入力される。
【０１２３】
図９は高所での作業の許可の発行の例を示し、２７０で始まり、次に２７２、そして次に２７４で基本情報が提供される。必要とされるジョブの性質についての情報は２７６に入力され、これは図２６により詳細に示される。２８２および２８４において、救助計画および待機者に関する情報などのさらなる情報が２７８に入力される。
【０１２４】
一般的な労働許可の例が図２９に示される。図２７に示すように、様々な担当者に関して使用される各労働許可は、作業現場で働くことを許可された担当者のリストを示す。そのリストは、保有者が許可を譲渡しようとしている場合に、許可保有者が譲渡される可能性のある担当者のみを示すように作成され得る。許可保有者が、許可が与えられたタイプの作業を実行することができる担当者を追加することができる担当者のみを示すようにリストを生成することができる。図２８に示されているように、各許可に関与する各人には、関連する作業のそれぞれの許可を検討して署名する必要があることを知らせるリマインダーが提供される。
【０１２５】
許可の期間を追跡することができ、許可の期限が切れる前に、延長または新しい許可が必要な場合に措置を講じることができるように所有者に通知することができる。許可に基づいて行われた作業が終了したら、許可を閉鎖することができる。許可の所有者および発行者は、許可に関連して変更があったときに通知を受ける。
【０１２６】
リスク評価
図３０は、ホーム画面１２と、４０２で示される領域内の画面をタッチすることによるリスク評価の選択を示す。これにより、図３１にも示されるメニュー２０にユーザーが導かれる。逆矢印とメッセージアイコンが付いた、上部４１０の見出しでプレゼンテーションの一貫性が実証されている。ジョブは下に記載されている。次に、スライドメニューバー４１２によって、ユーザーは、行われているリスク評価の種類を選択することができる。一実施形態では、リスク評価のタイプはＪＳＡまたはテイク５である。テイク５が選択されているので強調表示されている。既存のリスク評価のリストが４１６で提供される。４１４で、タスクまたは日付による既存のテイク５の検索を入力することができる。４１８で新しいテイク５を入力することができる。テイク５については、以下でさらに説明する。
【０１２７】
ＪＳＡは、閉鎖されるまで発行、更新、または移行することができる。リスク評価としてＪＳＡが選択され、既存のＪＳＡが選択されると、装置は図３２のウィンドウ４３８にそのＪＳＡに関する基本情報を表示する。基本情報オプションは、見出し４３２のＪＳＡの名前の下のスライドメニューバー４３４において選択される。メニュー４３４内の基本情報以外の他のオプションは、リスク評価担当者である。ＪＳＡには、メインメニューのトップメニュー４３２に示される識別番号が提供される。４４０によって示されるように、ＪＳＡに署名するか、またはＪＳＡを閉じてＪＳＡを更新するためのオプションもある。
【０１２８】
図３３は、リスク評価の方法ステップを選択することができるウィンドウ５１０を示す。強調された領域５１２上の選択は、図３４の５２０によって示されるように「現場での全時間」を開く。これにより、ユーザーはリスク評価にリスクを加えることができる。リスク追加領域５２２を選択すると、図３５の５３０にリスクのリストが表示される。ユーザーはそれらのリスクから選択してそれらをリスク評価に追加することができる。次に、ユーザーは、リスク項目５３２の隣の次のメニュー項目に示されるように制御上をスワイプすることができる。これにより、図３６の５４０によって示されるようにリスクを軽減するために利用可能な制御が開かれる。制御の見出しはメニュー５４２で強調表示されている。図３７の５５０で、ユーザーはリスク格付けを選択することができる。選択されていないリスク格付けが選択されると、ポップアップリスクマトリックスが図３８の５６０で開く。利用可能な選択肢は、マトリックスの各軸としての影響および可能性に依存する。影響は、マイナー、ミディアム、シリアス、およびメジャーから選択される。可能性は、非常にありそうな、ありそうな、ありそうにない、そして非常にありそうにない、の中から選択される。これらの軸上の選択はリスク格付けを決定する。５６４で示されているように、マイナーの影響が選択されている。これにより、健康、安全、および環境への影響の観点からマイナーな影響の意味を説明する図３９のポップアップが開く。図４０は、選択されたすべてのリスクにリスク格付けが与えられたことを示している。
【０１２９】
その後、リスクの評価は、図４１に従って担当者の割り当てに進むことができる。このＪＳＡによって影響を受ける担当者は、次に５９０でリストアップすることができ、それはまた、現場監督の詳細も含む。ＪＳＡは、送信ボタン５９２を選択することによって送信することができる。次に、これにより、図４２に示されているように、図４１にリストされているすべての担当者に図４２に示されているように通知が発行され、リマインダーに示される。彼らはＪＳＡを確認して署名することができる。状況によっては、ＪＳＡを更新できる可能性がある。
【０１３０】
図１０は、新しいＪＳＡを作成するプロセスを示す。メインメニューから選択されると、プロセスは４５０で開始し、それは上述のように図３１にも示される。新しいＪＳＡについての基本情報は４５２に示され、図４３にも示される。方法ステップは図４４に示されているように、４５４に入力される。次にリストからリスクを選択する。リスト内のリスクの検索の例が図４５に示されており、選択されたリスクが図４６にリストされている。その後、ステップ４６０から４６６で制御およびリスク格付けが行われ、次にステップ４６８で担当者が割り当てられる。
【０１３１】
テイク５はユーザーに特有のものであるが、依然として集中的に保持されており、依然として文書の動的インターフェースを有している。ユーザーはタスクを開始する前に自分自身のリスクを評価する。図１１は、７１０で示されるように、選択によって開始してテイク５を実行するプロセスを示す。７１２で、ユーザーは、自分が作業しているジョブを選択することができる。７１４で、ジョブの詳細が表示され、次にジョブを選択するとジョブのさらなる詳細が７１６で提示される。図４７は画面形態を示す。次にユーザーは、一般的なタスクのリストから実行されるべきタスクを選択７４２することができる。ユーザーはリストをスクロールまたは検索できる。
【０１３２】
図４８は、選択された種類のタスクに適用され得るリスクのリストを示す。７２２において、リスクを選択することができる。次に、７２４において、リスクを軽減することができる制御のリストを示すことができる。
【０１３３】
図４９の追加のメニューオプションは、リスクが伴う可能性があるものについての情報、およびリスクを監視するためのリマインダーを提供する。これはリスクを監視することもでき、何らかの変化があった場合にはユーザーが別のテイク５を完了してリスクを再評価し、リスクを軽減するためにどのような制御を適用するかを選択できる。
【０１３４】
設備の開始前（プレスタート）の視覚的プロンプト
設備の開始前（プレスタート）を完了すると、特定のチェックが設備のどの構成要素に関連するかについて職員が混乱する可能性がある。これは特に読みに苦労している職員（例、失読症）の場合である。開示されたシステムおよび方法は以下を提供する：
ａ）設備チェック番号に従って各構成要素に番号が付けられている設備の図；
ｂ）各チェックが関連している構成要素を強調表示（色変更を介して）。
【０１３５】
例えば、高速切断鋸開始前（プレスタート）テンプレートにおいて、チェック番号１１は切断ブレードに関する。したがって、高速切断鋸の図は、ブレード「１１」と番号付けし、ユーザーがブレードチェック質問をスクロールするにつれて、図中のブレードは色を変える。
【０１３６】
図１２に見られるように、ホーム画面１２から設備を選択し、サブメニュー８００を提供することができる。メニューは、ジョブで使用するために提供または利用可能な設備のリストを含む。ユーザーは、図５０で開始前（プレスタート）を実行するための設備のアイテムを選択し、リスク評価を行い、登録簿を閲覧することができる。選択されたジョブに使用される設備のリストがウィンドウ８０２に示される。別法として、ユーザーは８０４で設備の特定の品目を検索することができる。設備の特定の設備に関するリスク評価や登録簿は静的だが、開始前（プレスタート）チェックは具体的かつ動的である。設備の開始前（プレスタート）項目を選択すると、テンプレート化されたチェックのセットが表示され、対話式にすることができる。例えば、ユーザーが８１８で与えられた品目の簡単な要約を選択すると、図５１および品目８２０に示されるように一組の制御情報が表示される。ユーザーはその設備の品目に関する特定の詳細を見ることができる。ユーザーは、この特定の設備の品目に関する基本情報を調べることができ、設備の品目が良好な作動状態にあることを保証するためにチェックするチェックボックスを含むことができる。ユーザーは、８５２に示される質問に答えることができる。メニュー項目８２２によるように、そして図５２により詳細に示されるように、設備の作動状態が良くないという回答のうちの１つが示されると装置は正常に作動していないという情報がユーザーに提供される。例えば、図５２に示されるケースでは、設備の品目は８６２によって示されるようにオイル漏れを有しており、この例では故障している。これらは、現場監督および設備を故障中とタグ付け含む、ユーザーに報告するための項目である。報告は、「報告送信」ボタン６００および８６４の選択によって自動的に送信することができ、これはすでに提供されている情報によって、書式の空き領域を自動的に完成させることを可能にする。
【０１３７】
図１２に戻ると、選択のための項目は、ユーザーが必要とされる設備の別の項目であるスキッドステア８０８の使用を必要とする場合には、別の開始前（プレスタート）が使用されることを示している。次にプロセスは８３０から８４０に進み、その設備の部分の開始前（プレスタート）要件を調べて確認する。
【０１３８】
設備の過剰使用チェック
設備の開始前（プレスタート）を完了すると、その日の設備の使用が特に多いのか、それとも激しいのかをユーザーに尋ねる。ユーザーが肯定的に指示した場合、設備の開始前（プレスタート）は追加のチェックが完了することを要求する。たとえば、車両の開始前（プレスタート）では、ユーザーは長距離またはオフロード走行のために追加のチェックを完了する必要がある。
【０１３９】
データベースのタップ
作業を安全に完成させるためには、掘削前のダイヤル（ＤＢＹＤ）、汚染現場等などの第三者データベースへのアクセスが必要になる可能性がある。計画は一般的に事務担当者によって調達され、紙フォーマットで現場職員に提供される。記載されているシステムおよび方法：
１．現場作業員が自分のジョブに適用可能な計画のｐｄｆファイルを見ることを可能にする。（「計画」アイコンまたはＪＳＡカバー画面のいずれかを介して）。これらのｐｄｆファイルは、通常、事務担当者によって提供され、アプリケーションにロードされる。
２．第三者データベース（例えば、ＤＢＹＤおよび汚染現場データベース）から直接計画を調達することも考えられる。
【０１４０】
リアルタイム自動警告
自動警報（可聴式および振動式）は、現場での活動中に現場作業員に提供することができる（これらは、パーソナルモバイル装置および／またはウェアラブル技術を通じてＧＰＳ追跡される）：
ａ．掘削がＤＢＹＤに規定された地下設備の周辺に近づいたとき；
ｂ．活動が特定の許可および計画（例えば、環境許可）に規定されている付近または境界に接近したとき；
ｃ．担当者が特定の作業中のプラントまたは設備（掘削機など）の近くに入ったとき（この場合、作業員と関係する地上担当者の両方に警報が発せられる）；
ｄ．特定のノイズレベルが装置によって検出されたとき；
ｅ．モバイル装置によって特定の振動レベルが検出されたとき：
ｆ．モバイル装置によって特定の周囲温度が検出されたとき。
【０１４１】
図３を参照すると、項目９２２に示されているように、設備の項目の故障を報告する場合のように自動的に生成され得る新しい報告の作成が示され、それがリスクを提示または報告が必要な事故であることを示す何かの順守のために作成され得る。報告の完成は、チェックボックスを選択することによる情報の完成し、例えば、それが電気を含む問題であるかどうか、健康および安全上のリスクであるかどうか、環境リスクであるかどうかなどを含み、怪我人がいるかどうか、および他の人が関与しているかどうかなどの他の要因も同様に含まれる。これはボックス９２４に入力することができる。怪我人があった場合には、詳細を９２６に入力することができる。
【０１４２】
図１３に示すように情報を報告のために入力することができ、８２０で品目の性質を選択することができる。８７０で、設備の故障の重大度の要約が情報に含まれ、ボックス８３４および８３４に提供される。問題の写真を撮ってアップロードすることができる。
【０１４３】
リスクについてユーザーに指示することに加えて、本発明は、図２に示される報告の会議についての警告情報を提供することを含む公表のためのプラットフォームを提供することができる。図５３は、右上隅にあるアプリケーションアイコンの選択によって開かれるロケーションメニュー９３２を示す。これは、待機中の警告があること、およびジョブリスト９３４によって示されるように、選択されたメニューが特定のジョブに関連する警告を示すことを開くことを示す。図５４では、サイクロン更新が発行される９４０があることを示す。ユーザーはサイクロン更新を選択して図５５のサイクロン警報に関する追加情報９４４にアクセスできる。
【０１４４】
図５６により詳細に示すように、情報をホーム画面上に提供することもできる。これは、ＭＳＤＳへのアクセスを提供する化学見出し下の文書ビデオおよびツールなどの情報のリスト９６４；ジョブを実行するために編集を実行するためにユーザーが利用できる計算機；緊急手順、プロトコル、などのトレーニング情報へのアクセス、並びにより一般的な手順も同様を示す。また、ジョブタブ９６０の下には、ジョブに関連して作成された文書のリスト（許可、ＪＳＡ、テイク５など）、ならびに承認および／または署名が必要な文書のリマインダーがある。
【０１４５】
図２は、火災警報を示す。メインタイトルの下に通知ボックスが表示される。選択されると、９０４において警報メニューが警報のリストをドロップダウンする。９０６において警報ウィンドウが開かれ、次に火災警報のリストが現れる。これは９０８で開かれ、火災警報を見てそれに関する情報を得ることができる。
【０１４６】
設備のタグ付け自動リマインダー
開示されたシステムおよび方法は、すべての設備タグ付け要件についての自動リマインダーを含むことができる。例えば、自動リマインダーは、電気設備、リフティングギア、モバイル用はしご、ハーネス、およびリカバリーギアの四半期ごとのタグ付けと確認のために発行される。
ペイントカラー置換
現場の作業員が現場で地下設備を電子的に探しているとき、表面を高い視認性のペイントマークでマーキングするために使用される一組の「一般的な」色がある。たとえば、表面を次のようにマークするのが一般的な方法である：
Ａ）水のための青い線；
Ｂ）下水道のための緑または黒の線。
Ｃ）電気のためのオレンジ色の線。
Ｄ）ガス等のための黄色い線。
【０１４７】
しかしながら、実際には、作業員はしばしば必要なカラーペイントを使い果たし、他の利用可能な色で「間に合わせ」る。
【０１４８】
開示された掘削許可は、各施設に対して色付きの点を選択することによって、ユーザーが各タイプの地下施設をマークするのに使用した色を指定することを可能にする。これは、一般に各施設の色を指定する紙ベースのシステムとは異なる（ペイントカラーが使用できない場合、現場作業員は無視する）。
【０１４９】
会議
アプリケーションはまた、担当者が以下を含む会議を完了することを可能にする：
ａ．会議で議論するためのトピックを追加；
ｂ．議事録を録音するためのテキストへの音声の使用；
ｃ．特定の担当者への動作項目の割り当てと各動作項目の期限の設定；
ｄ．会議に出席した従業員は、次の２つの通知を受信する；
ｉ．  会議の議事録を確認して署名するリマインダー；
ｉｉ．割り当てられた各動作アイテムのリマインダー。
【０１５０】
保留中のリスク警告があるとき、現場監督およびまたはプロジェクトマネージャーは、会議でこれらを喚起するように促されてもよい。
【０１５１】
署名
ユーザーは、文書に「署名」するたびに、最初に１つ以上の意見を積極的に確認しなければならない（例えば、「このＪＳＡを見直し、理解し、これに従うことに同意した」）。意見は各文書に特有のものであり、各文書の下での各ユーザーの役割に特有のものである。彼らが未決の署名を有しているならば、それが署名されるまでそうする必要性はリマインダーに残るだろう。
【０１５２】
現場におけるリスク管理のための情報を提供および受信するための開示された方法およびシステム、より具体的には許可、計画、リスク評価および設備情報にアクセスし、文書を自動生成し、データを送信および受信するための方法およびシステム許可の有無と場所に基づく通知は、リスク管理のプロセスで現場のオペレーターを関与させ、現場のオペレーターが適切な方法でリスク管理タスクを完了することを奨励するためのツールを提供する。開示された構造およびナビゲーションシステムおよび方法は、ナビゲーション、自動生成、許可および計画ステータスへの警告、設備開始前（プレスタート）視覚プロンプト、データベースタップ、リアルタイム自動警告、設備の過剰使用チェック、設備タグ付け自動アラームおよびペイントカラー置換のプロセスを含み、さらに、リスク管理のプロセスにおいて現場作業員を関与させ、現場作業員が適切な方法でリスク管理タスクを完了することを奨励するためのツールを提供する。
【０１５３】
担当者個人のモバイル装置から：
ａ．担当者は以下を閲覧することができる：
ｉ．（デスクトップアプリケーションを介して）ジョブライブラリーに添付されているすべての計画など；
ｉｉ．彼らが作成または署名したすべての文書；
ｂ．現場監督とプロジェクトマネージャーは上記のすべてを閲覧することができ、そしてジョブで他の誰かによって作成または発行されたすべての文書も閲覧することができる。
【０１５４】
一般的な運用
本発明のツールは３つのアプリケーションとして提供することができる。これらのアプリケーションは、デスクトップバックエンド、デスクトップフロントエンド、およびモバイルアプリケーションである。これらのアプリケーションはそれぞれ、異なる動作機能を有し、ジョブライブラリー１２１０を形成する組織データベース１２１２およびジョブデータベース１２１４に見られる異なる情報セットにアクセスする。
【０１５５】
一実施形態では、本発明の一般的な動作は、図６０にフローチャートとして示される方法１４００に従う。
【０１５６】
方法１４００の確立は、本社会社担当者（ＣＯＰ）１３０２がデスクトップバックエンドにアクセスするときのステージ１４０２で行われる。ステージ１４０４でアクセスすると、本社担当者１３０２は組織データベース１２１２に組織情報を投入する。情報には、組織の階層、文書、およびリストが含まれている。階層がステージ１４０４で確立され、そこでは本社担当者１３０２が担当者情報を階層に入れる。担当者情報は、デスクトップバックエンド、デスクトップフロントエンド、およびモバイルアプリケーションへの担当者のアクセスを指示するために使用される。さらに、担当者情報は、担当者許可発行者（ＰＩ）機関を指示するために使用される。担当者情報には、従業員や現地サプライヤーなど、組織に関連するすべての従業員に関する詳細が含まれる。一実施例では、１人または複数のプロジェクトマネージャー１３０４は、デスクトップフロントエンド、モバイルアプリケーション、およびすべての許可発行者機関へのアクセスを提供される。
【０１５７】
方法１４００の確立に続いて、ステージ１４０６において、プロジェクトマネージャー（ＣＰＭ）１３０４はデスクトップフロントエンドにアクセスする。アクセスすると、プロジェクトマネージャー１３０４は、ジョブデータベース１２１４に格納するための１つ以上のジョブを作成することができる。プロジェクトマネージャー１３０４は、詳細およびファイルなどの関連情報をジョブに投入し、ジョブプロジェクトマネージャー（ＪＰＭ）、ジョブ現場監督（ＪＳＳ）、現場作業員（ＪＰ）および許可発行者（ＰＩ）を含むジョブ階層を確立する。ジョブ階層は、アプリケーションを使用してジョブにアクセスし、シングルユーザーまたはマルチユーザーの文書、および関連文書と許可を発行する担当者の権限を決定する。一実施例では、１人以上の現場監督１３０６に、モバイルアプリケーションへのアクセス、マルチユーザー文書を発行し、すべてのジョブ文書および許可を閲覧することが許される。
【０１５８】
１つ以上のジョブに情報が取り込まれると、ステージ１４１０で、その情報がジョブライブラリー１２１０のジョブデータベース１２１４に格納される。
【０１５９】
担当者は、ステージ１４１２でモバイルアプリケーションを使用してジョブライブラリー１２１０に格納された情報にアクセスすることができる。その後、ステージ１４１４で、担当者は個々の権限に基づいてジョブライブラリー１２１０から引き出されたジョブを選択することができる。ステージ１４１６でジョブを選択すると、担当者は個々の担当者権限に基づいて操作上の行動を開始することができる。操作上のアクションは、ジョブデータと警告の表示、シングルユーザーまたはマルチユーザーのドラフトの作成、およびドラフト許可の作成に限定されている。一実施例では、現場作業員１３０８がジョブを選択し、これにより彼はすべてのジョブデータおよび警告を閲覧し、設備の開始前（プレスタート）および危険および事故報告のためのシングルユーザドラフトを作成することが可能になる。ステージ１４１８で担当者に利用可能にされる後続のオペレーション動作は、ステージ１４１６で行われるオペレーション動作に依存する。これらの後続のオペレーション動作は、シングルユーザーまたはマルチユーザー文書の発行、許可の発行、およびすべての文書および許可の閲覧を含む。一実施例では、プロジェクトマネージャー１３０４は、密閉空間内で作業するための許可ドラフトを以前に作成している。プロジェクトマネージャー１３０４は、許可の時間枠を決定し、許可に現場作業員１３０８を割り当てると、署名のための許可を現場作業員１３０８に発行する。
【０１６０】
ステージ１４１８での動作の実行に続いて、関連文書および／または許可詳細はステージ１４２０で無許可編集からブロックされ、ジョブライブラリー１２１０に格納される。
【０１６１】
担当者は、ステージ１４２０からの記憶された行為に基づいて、ステージ１４２２で追加の行為を行うことができる。追加の行為はステージ１４０６で確立された担当者権限に依存する。その他の活動は次のとおりである：
ａ．ステージ１４２４で以下に関連するリマインダーを発行：
１．文書／許可書に署名；
２．移行を許可；
３．許可の有効期限；そして
４．動作項目を確認。
ｂ．ステージ１４２６において、自身の文書および許可を閲覧。
ｃ．ステージ１４２８でさらなる動作のために文書にアクセス。さらなる動作は以下を含む：
１．文書への署名；
２．文書を更新；
３．追加情報を追加；
４．ロギング時間；そして
５．文書の閉鎖。
ｄ．ステージ１４３０で手動署名を収集。ここで、署名の収集は文書および許可に関連する。
ｅ．ステージ１４３２でさらなる動作の許可へのアクセス。さらなる動作は以下を含む：
１．許可を確認；
２．許可を１人の許可保有者（ＰＨ）から他へ移行；
３．許可の移行を決定；
４．許可に追加担当者を追加；
５．ロギング時間；
６．ロギング結果；
７．許可長を延長；そして
８．許可の閉鎖。
【０１６２】
ステージ１４２４〜１４３２のいずれかにおける動作の実行に続いて、関連文書および／または許可詳細はステージ１４２０で無許可編集からロックされ、ジョブライブラリー１２１０に格納される。ロックされると、次に許可詳細は関連する許可の詳細を受信することを承認された担当者に配布される。
【０１６３】
長期許可
図６１は、長期許可を作成するためのプロセスを示す。ジョブに関連する長期許可は、モバイルアプリケーションを使用して作成できる。長期許可の作成は、通常、ステージ１４１６ａでテンプレート質問を完成させること、追加の用語および制御を追加すること、および資格のある担当者を選択することを含む。十分な担当者権限を有する担当者はまた、ステージ１４１８ａで他の担当者に長期許可を発行することができる。長期許可の作成および発行の後、ステージ１４２０ａで許可詳細が無許可編集からロックされ、ジョブライブラリー１２１０に格納される。
【０１６４】
長期許可の作成、発行および保管に続いて、ステージ１４２０ａで、追加の動作が担当者に利用可能にされる。これらの追加動作のほとんどは、ジョブを進行させるために実行が必要とされる。許可保有者は、ステージ１４４０で動作を示す許可に署名するよう促され、その後、許可所持者はステージ１４４２で許可を閲覧し、ステージ１４４４で許可に署名することができる。さらに、許可発行者は、ステージ１４４８で、自分のモバイルアプリケーションを使用して許可保有者から署名を手動で収集することができる。
【０１６５】
許可保有者による許可の署名に先立って、許可発行者はステージ１４４６で追加のアクションを受けとり、許可の見直し、移行または延長を許可する。
【０１６６】
許可保有者の署名に続いて、許可保有者の指導の下で動作する担当者は、追加の動作を実行することを要求される。これらの担当者はステージ１４５０で動作を示す許可に署名するように促され、その後ステージ１４５２で担当者は許可を閲覧し、ステージ１４５４で許可に署名することができる。さらに、許可発行者および許可保有者は、ステージ１４５８で、自身のモバイルアプリケーションを使用して、担当者から手動で署名を収集することができる。
【０１６７】
許可保有者はステージ１４５６でさらなる動作を受け取り、担当者の追加および許可の閉鎖ができる。さらに、許可保有者は、許可が有効期限内にあるときに、ステージ１４６０でリマインダーを受信することになる。更新された許可の詳細はその後、更新された許可を受信することを許可されている関連担当者に配布される。
【０１６８】
短期許可
図６２は、短期許可を作成するためのプロセスを示す。ジョブに関連する短期間の許可は、モバイルアプリケーションを使用して作成できる。短期許可の作成は、通常、ステージ１４１６ｂでテンプレート質問を完成させること、追加の用語および制御を追加すること、ならびに資格のある担当者を選択することを含む。十分な担当者権限を有する担当者はまた、ステージ１４１８ｂで他の担当者に短期許可を発行することができる。短期許可の作成および発行の後、許可の詳細はステージ１４２０ｂで無許可編集からブロックされ、ジョブライブラリー１２１０に格納される。
【０１６９】
短期許可の作成、発行および保管に続きステージ１４２０ｂで、追加の動作が担当者に利用可能にされる。これらの追加動作のほとんどは、ジョブを進行させるために実行が必要とされる。許可保有者は、ステージ１４６２で許可に動作を示すことに署名し、その後、許可所持者はステージ１４６４で許可を閲覧し、ステージ１４６６で許可に署名することができる。
【０１７０】
さらに、許可発行者は、ステージ１４６８で、自身のモバイルアプリケーションを使用して許可所有者から手動で署名を収集することができる。
【０１７１】
許可保有者による署名の後、許可保有者の指導の下で動作する担当者は追加の動作を実行することを要求される。これらの担当者はステージ１４７０で動作を示す許可に署名するように促され、その後ステージ１４７２で担当者は許可を閲覧し、ステージ１４７４で許可に署名することができる。さらに、許可発行者および許可保有者は、ステージ１４７８で、自身のモバイルアプリケーションを使用して、それらの署名を担当者から手動で収集することができる。担当者の署名に続いて、担当者はステージ１４８０でさらなる動作を受け取り、ログ時間を記録するかまたはログ試験結果を記録することを可能にする。
【０１７２】
許可保有者はステージ１４７６でさらなる動作を受け取り、担当者の追加、ログ時間およびログ試験結果の記録、および許可の閉鎖を可能にする。さらに、許可保有者は、許可の有効期限が１時間以内になったときに、ステージ１４８２でリマインダーを受信することになる。
【０１７３】
ジョブの安全評価
図６３に示すように、ＪＳＡ１３３０は、モバイルアプリケーションを使用して、プロジェクトマネージャー１３０４または現場監督１３０６によって編集することができる。編集は、ＪＳＡへの新しい担当者の追加または情報および／または要件の更新である。
【０１７４】
ステージ１４２２ｃでＪＳＡ１３３０を選択すると、プロジェクトマネージャー１３０４または現場監督１３０６は、ＪＳＡ１３３０を編集するための２つのオプションを与えられる。
【０１７５】
ＪＳＡ１３３０が追加の現場作業員１３０８などの新しい担当者の追加を要求する場合、プロジェクトマネージャー１３０４または現場監督１３０６はステージ１４８４で動作を実行する。ステージ１４８８において、モバイルアプリケーションは、リスク評価セクションのいかなる編集も許可しない一方で、ジョブの人事セクションを編集することを可能にする。ステージ１４９０で新しい担当者の追加が完了すると、新しい担当者はステージ１４９２でジョブの開始前にＪＳＡ１３３０に署名するようにというリマインダーを受信する。
【０１７６】
ＪＳＡ１３３０が情報および／または要件の更新を要求する場合、プロジェクトマネージャー１３０４または現場監督１３０６はステージ１４８６で動作を実行する。ステージ１５０２で、モバイルアプリケーションは人事部門とリスク評価部門の両方に編集される許可を与える。ステージ１５０４で情報および／または要求事項の更新が完了すると、ステージ１５０６で、ＪＳＡ１３３０に関連するすべての担当者が更新されたＪＳＡ１３３０に署名するための動作の呼びかけを受信する。
【０１７７】
ＪＳＡ１３３０を編集したプロジェクトマネージャー１３０４または現場監督１３０６は、ステージ１５００で、ＪＳＡ１３３０に関連するすべての担当者から自身のモバイルアプリケーションを使用して手動署名を収集することを選択することができる。
【０１７８】
動作ブロック
図６４は、許可およびマルチユーザー文書をジョブライブラリー１２１０に格納した後に発生する可能性がある動作ブロックのフローチャートを示す。これらのブロックは、段落番号［００５９］に記載されているように、別の要件が保留中に文書をロックできるという点で一種のロックである。
【０１７９】
許可およびマルチユーザー文書がステージ１４２０ｄでジョブライブラリー１２１０に格納されると、許可の期限切れ、許可の移行、および許可および文書の閉鎖により、相反する動作がステージ１４２２ｄで発生する可能性がある。相反する動作が発生しないようにするために、動作ブロックを確立することができる。これらの動作ブロックは、一般に、追加の動作を実行できない形式で、および動作ブロックを実行した理由を概説したメッセージである。追加の動作を実行できないことは、ブロックが有効である間、影響を受ける動作ボタンのいくつかまたはすべてが「グレー表示」され、操作不能または単に削除されることで実装される可能性がある。
【０１８０】
ステージ１５０８でアプリケーションは、許可が失効したと判断することができる。決定すると、アプリケーションはステージ１５１０で動作ブロックを起動し、許可に関連する追加の動作を無効にし、担当者に許可の期限切れを通知するメッセージを表示する。
【０１８１】
ステージ１５１２でアプリケーションは、許可が閉鎖されたと決定することができる。決定すると、アプリケーションはステージ１５１４で動作ブロックを起動し、許可に関連する追加の動作を無効にし、担当者に許可の閉鎖を知らせるメッセージを表示する。
【０１８２】
ステージ１５１６でアプリケーションは、文書が閉じられたと決定することができる。決定すると、アプリケーションはステージ１５１６で動作ブロックを起動し、文書に関連する追加の動作を無効にし、担当者に文書の閉鎖を知らせるメッセージを表示する。
【０１８３】
ステージ１５２０でアプリケーションは、許可権限が移行されたが移行受信者が移行をまだ受諾または拒否していないと判断することができる。判断すると、アプリケーションは動作ブロックをステージ１５２２で起動し、許可に関連する追加の動作を無効にし、および保留中の移行を担当者に知らせるためのメッセージを表示する。移行受信者がステージ１５２４で移行を承認または拒否すると、アプリケーションはステージ１５２６で動作ブロックを停止させる。
【０１８４】
図６７は、設備開始前（プレスタート）のフローが作成されているときのフローチャートを示している。特に、Ｆでは介入が記述されている。ユーザーの追加が必要な現場のいずれかが事前に設定された要件に従って完了していない場合、介入が発生する。これらの事前設定要件は、選択された答えが安全なジョブ環境につながることを保証する。選択した答えが安全なジョブ環境につながらない場合は、介入が行われる。設備の始動前の例は、図６９および７０にさらに示されている。図６９は、選択された特定のみなし安全でない答えに対する介入を示し、この場合では、「すみません、あなたはこの設備は使えません。安全でない障害を説明し送信します」の表現を示している。これも図７０のフローチャートのステップ２Ａである。ユーザーが設備の開始前（プレスタート）を送信すると（この例では）、労働条件が変わり、労働環境が安全に働くことができるようになった場合、ユーザーは戻って質問への回答を変更できる。更新された設備の開始前（プレスタート）が送信され、条件がロックされて新しい日付とタイムスタンプが記録される。
【０１８５】
図７０を参照すると、ユーザーが安全な作業条件を入力することによって介入を克服し、正しいセキュリティピン４、４Ａを入力すると、ユーザーが完了した（この例では）設備開始前（プレスタート）の条件は次のようになり、ロックされ（６）、設備の始動前データが続いて更新され（７）、更新された始動前データが図７１に示すように関連するユーザーに提供される。用語が日付およびタイムスタンプで記録されてジョブライブラリー１２１０に格納されるので、用語のロックは（この例では）設備の開始前（プレスタート）の不正な編集を防止する。ユーザーが適切な許可された役割を有していれば、ロックされた後に設備開始前（プレスタート）の許可されたロック解除およびの編集を行うことができる。
【０１８６】
図７４を参照すると、ＪＳＡの作成がフローチャートの形で示されている。ＪＳＡを作成できるのは、プロジェクトマネージャー（ＰＭ）またはサイト管理者（ＳＳ）だけである。図７５〜８２は、スクリーンショットを介したＪＳＡの作成を示している。
【０１８７】
図８３は、利用される各現場で入力されたすべての情報が所定の要件を満たすことを確実にするための１Ｂでの介入チェックを示す。介入表現の様々な例が２Ａ〜２Ｄに記載されている。介入が安全な作業解答と見なされて克服されると、３ですべての担当者が現場に誘導されたことの確認が必要になる。その後、４Ａでセキュリティピンを入力し、５でユーザーＩＤを確認し、ＰＭとＳＳはどちらも現在の立場にあり、ＪＳＡを提出しようとしているのがＰＭでもＳＳでもない場合は再び介入が行われる。正しいＰＩＮが入力される６ＢまたはＪＳＡが署名される６Ｃと、設備の開始前条件がロックされるのと同様にＪＳＡ条件はロックされ、日付およびタイムスタンプとともにジョブライブラリー１２１０に記録される。その後、図８４に示すようにＪＳＡデータがこれらの関連ユーザーに配布される。これらの関連ユーザーは図８７．１に示すようにＪＳＡの署名（署名）を要求する動作ボタンを受信する。ＪＳＡが関連担当者によって署名されると、次に図８８に表示されるように更新されたＪＳＡデータが関連ユーザーに配布される。ＪＳＡの署名後のＪＳＡへのユーザーの追加およびＪＳＡの更新を図９０から１００に示す。
【０１８８】
ＪＳＡが介入している場合、労働条件が安全になり、ＪＳＡが新しい安全な労働条件で更新されて提出されると、新しいＪＳＡはその条件もロックされ、新しい日付とタイムスタンプで記録される。
【０１８９】
ＪＳＡの状況が変化した場合、ＰＭまたはＳＳなどの許可された担当者は、ＪＳＡのロックを解除してそれを編集することができる。現在入手可能な競合製品は、例えばそれをｐｄｆに変えるなど、文書を永久にロックする。状況が変わったときに文書を変更できるようにし、適切な許可があると、これによって大きな利点が得られる。これには、状況が変わる可能性があるという制限があるが、文書にはない。
【０１９０】
図１０１は、長期許可を作成するＰＩに関連するフローチャートを示す。Ｆでは、介入が示され、それによって所定の要件に従って作業に対して安全であると見なされる方法でいずれかの現場が完了されない場合、ユーザーはそれ以上アプリケーションを続けることを妨げられ、したがって作業を実行することが妨げられる。これは、図１０２〜１０６のスクリーンショット、特に図１０３に示されていて、介入の言葉「すみません  −  あなたは続行できません」を示している。
【０１９１】
図１０７は、許可を提出するユーザーが確実に許可されるようにするために、５でシステムによって実行されるチェックを示す。許可が提出されると、許可の条件は７でロックされ、日付とタイムスタンプが記録され、許可データが８で配布され、これが図１０８〜１１２に詳細に示されている。また、担当者が不意に離れてしまったように状況が変わっても、許可が新しい許可の発行を必要とせずに状況の変化に対応するように許可を変更することができ、これは現在のシステムで発生する。たとえば、交換作業員をＰＨによって許可を追加することができる。
【０１９２】
許可に介入がある場合、作業条件が安全になり、許可が新しい安全な作業条件で更新されて提出されると、新しい許可にもその条件がロックされ、新しい日付とタイムスタンプが記録される。
【０１９３】
図１１３〜図１１９は、ＰＨが許可を受けてそれに署名すると発生するフローおよびスクリーンショットを示す；許可担当者が許可を受け取り、それに署名する。
【０１９４】
図１２０〜図１２１は、本明細書で前述したように許可の有効期限を示している。
【０１９５】
図１２２〜１２５は、期限切れになる許可がどのように延長され得るかのフローおよびスクリーンショットを示す。これには暗黙的または明示的なロック解除手順がある。許可延長動作ボタンは、許可の期限前にのみ使用可能になる。期限切れ後の動作ボタンは表示されない。
【０１９６】
図１２６〜図１２９は、許可をどのように閉鎖できるかを示している。図１３０〜図１３３は、許可担当者が許可をどのように追加するかを示している。
【０１９７】
図１３４〜図１３７は、許可内でＰＩをどのように移行することができるかを示している。
【０１９８】
図１３８〜１４０は、許可を譲渡されたＰＩ（新しい許可発行者）がどのようにしてその譲渡を拒否することができるかを示している。
【０１９９】
図１４１〜１４３は、許可を受け取った新しい許可発行者が許可の移行をどのようにして受け入れることができるかを示している。
【０２００】
図１４４〜１４５、図１４６〜１４７、および図１４８〜１５０は許可保有者の移動を示す；それぞれ、譲渡を拒否する新しい許可保有者；そして譲渡を受け入れる新しい許可保有者。
【０２０１】
図１５１〜図１５８は、短期許可に関連して許可を作成する許可発行者を示す。特に、図１５３および図１５５では、長期許可の作成と同様の介入が示されている。図１５３のＦに介入が示され、図５５に「すみません  −  あなたは続行できません」という表現の例が示されている。図１５９〜１６４は、ＰＩによる短期許可の提出を示している。また、許可の条件はすべてのチェックが実行されるとロックされ、許可の条件は日付とタイムスタンプとともに記録される。更新された許可データは関連するユーザーに配布される。同様に、図１６５〜１６８に示されるように、許可保有者は短期間の許可に署名し、続いて図１６９〜１７２に示されるように許可担当者、待機者およびガステスターが署名する。
【０２０２】
短期許可に介入がある場合、労働条件が安全になり、許可が新しい安全な労働条件で更新されて提出されると、新しい許可にもその条件がロックされて新しい日付とタイムスタンプが記録される。
【０２０３】
短期許可の終了プロセスは図１７３〜１７４に示され、許可の閉鎖は図１７５〜１７７に示される。長期許可と同様に、短期許可もまた、図１７８〜１８１に示されるように、許可に担当者を追加することができる。
【０２０４】
ガステストの記録は、図１８２〜図１８５のフローチャートに示されている。特に、図１８２の４Ａでは、介入が示されており、これは、必要な回答が受信されていない場合にガステストのログが発生するのを防ぐ。
【０２０５】
担当者の時間の記録は、図１８６〜１８９のフローチャートに示されている。時間を記録してそれを待機状態にする可能性を図１９０〜１９３に示す。
【０２０６】
図１９４〜１９８は、ユーザーがテイク５を作成することを示している。特に図１９４において、Ｅは、安全な作業条件についての所定の回答に従って現場が完了しない場合に介入が起こることを示す。これは長期および短期の許可介入に似ている。図１９７は、「すみません  −  あなたは続行できません」という介入を示している。
【０２０７】
図１９９〜２０２は、ユーザーによるテイク５の提出を示す。図１９９の１Ｂに示されているように、介入およびＩＤチェックもテイク５サブミッションにある。
【０２０８】
本開示は、その真の、意図された、そして公正な範囲および精神を限定するのではなく、本技術に従って様々な実施形態をどのように形成し使用するかを説明することを意図している。前述の説明は、網羅的であること、または開示された形態に厳密に限定されることを意図していない。上記の教示に照らして修正または変形が可能である。記載された技術の原理およびその実用的な応用の最良の例証を提供し、そして当業者がその技術を様々な実施態様においてそして適切な様々な修正と共に考えられる特定の用途に利用することを可能にするために実施態様を選択し説明した。このような修正および変形はすべて、本特許出願およびその均等物が公正、合法的、そして公正に権利が与えられている範囲に従って解釈されたときに修正され得るように、添付の特許請求の範囲によって決定される本発明の範囲内にある。
【図１】
2020501233.tif 000003
【図２】
2020501233.tif 000004
【図３】
2020501233.tif 000005
【図４】
2020501233.tif 000006
【図５】
2020501233.tif 000007
【図６】
2020501233.tif 000008
【図７】
2020501233.tif 000009
【図８】
2020501233.tif 000010
【図９】
2020501233.tif 000011
【図１０】
2020501233.tif 000012
【図１１】
2020501233.tif 000013
【図１２】
2020501233.tif 000014
【図１３】
2020501233.tif 000015
【図１４】
2020501233.tif 000016
【図１５】
2020501233.tif 000017
【図１６】
2020501233.tif 000018
【図１７】
2020501233.tif 000019
【図１８】
2020501233.tif 000020
【図１９】
2020501233.tif 000021
【図２０】
2020501233.tif 000022
【図２１】
2020501233.tif 000023
【図２２】
2020501233.tif 000024
【図２３】
2020501233.tif 000025
【図２４】
2020501233.tif 000026
【図２５】
2020501233.tif 000027
【図２６】
2020501233.tif 000028
【図２７】
2020501233.tif 000029
【図２８】
2020501233.tif 000030
【図２９】
2020501233.tif 000031
【図３０】
2020501233.tif 000032
【図３１】
2020501233.tif 000033
【図３２】
2020501233.tif 000034
【図３３】
2020501233.tif 000035
【図３４】
2020501233.tif 000036
【図３５】
2020501233.tif 000037
【図３６】
2020501233.tif 000038
【図３７】
2020501233.tif 000039
【図３８】
2020501233.tif 000040
【図３９】
2020501233.tif 000041
【図４０】
2020501233.tif 000042
【図４１】
2020501233.tif 000043
【図４２】
2020501233.tif 000044
【図４３】
2020501233.tif 000045
【図４４】
2020501233.tif 000046
【図４５】
2020501233.tif 000047
【図４６】
2020501233.tif 000048
【図４７】
2020501233.tif 000049
【図４８】
2020501233.tif 000050
【図４９】
2020501233.tif 000051
【図５０】
2020501233.tif 000052
【図５１】
2020501233.tif 000053
【図５２】
2020501233.tif 000054
【図５３】
2020501233.tif 000055
【図５４】
2020501233.tif 000056
【図５５】
2020501233.tif 000057
【図５６】
2020501233.tif 000058
【図５７】
2020501233.tif 000059
【図５８】
2020501233.tif 000060
【図５９】
2020501233.tif 000061
【図６０】
2020501233.tif 000062
【図６１】
2020501233.tif 000063
【図６２】
2020501233.tif 000064
【図６３】
2020501233.tif 000065
【図６４】
2020501233.tif 000066
【図６５】
2020501233.tif 000067
【図６６】
2020501233.tif 000068
【図６７】
2020501233.tif 000069
【図６８】
2020501233.tif 000070
【図６９】
2020501233.tif 000071
【図７０】
2020501233.tif 000072
【図７１】
2020501233.tif 000073
【図７２】
2020501233.tif 000074
【図７３】
2020501233.tif 000075
【図７４】
2020501233.tif 000076
【図７５】
2020501233.tif 000077
【図７６】
2020501233.tif 000078
【図７７】
2020501233.tif 000079
【図７８】
2020501233.tif 000080
【図７９】
2020501233.tif 000081
【図８０】
2020501233.tif 000082
【図８１】
2020501233.tif 000083
【図８２】
2020501233.tif 000084
【図８３】
2020501233.tif 000085
【図８４】
2020501233.tif 000086
【図８５】
2020501233.tif 000087
【図８６】
2020501233.tif 000088
【図８７】
2020501233.tif 000089
【図８８】
2020501233.tif 000090
【図８９】
2020501233.tif 000091
【図９０】
2020501233.tif 000092
【図９１】
2020501233.tif 000093
【図９２】
2020501233.tif 000094
【図９３】
2020501233.tif 000095
【図９４】
2020501233.tif 000096
【図９５】
2020501233.tif 000097
【図９６】
2020501233.tif 000098
【図９７】
2020501233.tif 000099
【図９８】
2020501233.tif 000100
【図９９】
2020501233.tif 000101
【図１００】
2020501233.tif 000102
【図１０１】
2020501233.tif 000103
【図１０２】
2020501233.tif 000104
【図１０３】
2020501233.tif 000105
【図１０４】
2020501233.tif 000106
【図１０５】
2020501233.tif 000107
【図１０６】
2020501233.tif 000108
【図１０７】
2020501233.tif 000109
【図１０８】
2020501233.tif 000110
【図１０９】
2020501233.tif 000111
【図１１０】
2020501233.tif 000112
【図１１１】
2020501233.tif 000113
【図１１２】
2020501233.tif 000114
【図１１３】
2020501233.tif 000115
【図１１４】
2020501233.tif 000116
【図１１５】
2020501233.tif 000117
【図１１６】
2020501233.tif 000118
【図１１７】
2020501233.tif 000119
【図１１８】
2020501233.tif 000120
【図１１９】
2020501233.tif 000121
【図１２０】
2020501233.tif 000122
【図１２１】
2020501233.tif 000123
【図１２２】
2020501233.tif 000124
【図１２３】
2020501233.tif 000125
【図１２４】
2020501233.tif 000126
【図１２５】
2020501233.tif 000127
【図１２６】
2020501233.tif 000128
【図１２７】
2020501233.tif 000129
【図１２８】
2020501233.tif 000130
【図１２９】
2020501233.tif 000131
【図１３０】
2020501233.tif 000132
【図１３１】
2020501233.tif 000133
【図１３２】
2020501233.tif 000134
【図１３３】
2020501233.tif 000135
【図１３４】
2020501233.tif 000136
【図１３５】
2020501233.tif 000137
【図１３６】
2020501233.tif 000138
【図１３７】
2020501233.tif 000139
【図１３８】
2020501233.tif 000140
【図１３９】
2020501233.tif 000141
【図１４０】
2020501233.tif 000142
【図１４１】
2020501233.tif 000143
【図１４２】
2020501233.tif 000144
【図１４３】
2020501233.tif 000145
【図１４４】
2020501233.tif 000146
【図１４５】
2020501233.tif 000147
【図１４６】
2020501233.tif 000148
【図１４７】
2020501233.tif 000149
【図１４８】
2020501233.tif 000150
【図１４９】
2020501233.tif 000151
【図１５０】
2020501233.tif 000152
【図１５１】
2020501233.tif 000153
【図１５２】
2020501233.tif 000154
【図１５３】
2020501233.tif 000155
【図１５４】
2020501233.tif 000156
【図１５５】
2020501233.tif 000157
【図１５６】
2020501233.tif 000158
【図１５７】
2020501233.tif 000159
【図１５８】
2020501233.tif 000160
【図１５９】
2020501233.tif 000161
【図１６０】
2020501233.tif 000162
【図１６１】
2020501233.tif 000163
【図１６２】
2020501233.tif 000164
【図１６３】
2020501233.tif 000165
【図１６４】
2020501233.tif 000166
【図１６５】
2020501233.tif 000167
【図１６６】
2020501233.tif 000168
【図１６７】
2020501233.tif 000169
【図１６８】
2020501233.tif 000170
【図１６９】
2020501233.tif 000171
【図１７０】
2020501233.tif 000172
【図１７１】
2020501233.tif 000173
【図１７２】
2020501233.tif 000174
【図１７３】
2020501233.tif 000175
【図１７４】
2020501233.tif 000176
【図１７５】
2020501233.tif 000177
【図１７６】
2020501233.tif 000178
【図１７７】
2020501233.tif 000179
【図１７８】
2020501233.tif 000180
【図１７９】
2020501233.tif 000181
【図１８０】
2020501233.tif 000182
【図１８１】
2020501233.tif 000183
【図１８２】
2020501233.tif 000184
【図１８３】
2020501233.tif 000185
【図１８４】
2020501233.tif 000186
【図１８５】
2020501233.tif 000187
【図１８６】
2020501233.tif 000188
【図１８７】
2020501233.tif 000189
【図１８８】
2020501233.tif 000190
【図１８９】
2020501233.tif 000191
【図１９０】
2020501233.tif 000192
【図１９１】
2020501233.tif 000193
【図１９２】
2020501233.tif 000194
【図１９３】
2020501233.tif 000195
【図１９４】
2020501233.tif 000196
【図１９５】
2020501233.tif 000197
【図１９６】
2020501233.tif 000198
【図１９７】
2020501233.tif 000199
【図１９８】
2020501233.tif 000200
【図１９９】
2020501233.tif 000201
【図２００】
2020501233.tif 000202
【図２０１】
2020501233.tif 000203
【図２０２】
2020501233.tif 000204
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブからジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプのテンプレートを検索することと、
前記テンプレートの文書を前記ユーザーに対して表示することと、
選択のために１つ以上の動作を前記ユーザーに提供することと、
前記動作のうちの１つの選択を受信することと、
前記選択を送信し、前記選択の送信は、選択された前記動作を開始し、選択された前記動作が完了するまで他のユーザーによる選択された前記動作に関連する１つ以上の動作の選択をブロックすることと、
を含む方法。
【請求項２】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプの完成された文書を検索することと、
前記文書をユーザーに対して表示することと、
通常選択可能な１つ以上の動作をユーザーに提供することと、
関連する動作が開始されたときにリモートシステムからブロック通信を受信することと、
関連する前記動作が完了するまで、少なくとも１つの動作の選択をブロックすることと、
関連する前記動作が完了したことを示すブロック解除通信を受信してから、前記動作の１つの選択を許可することと、
を含む方法。
【請求項３】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプのテンプレートを検索することと、
前記テンプレートの文書を前記ユーザーに対して表示することと、
前記文書を提出することと、
前記ユーザーが前記文書への変更を許可する役割を有していない限り、前記文書を変更することを禁止することと、
を含む方法。
【請求項４】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから完成された文書を検索することと、
前記完成された文書をユーザーに対して表示することと、
前記ユーザーが前記文書への変更を許可する役割を受信したときに、前記文書に変更を加え、変更された前記文書を送信することを許可することと、
前記ユーザーが前記文書に変更を加えることを許可しない役割を受信したときに、前記文書に変更を加えることを許可しないことと、
を含む方法。
【請求項５】
モバイルコンピューター装置のユーザーに文書を提供する方法であって、
モバイル装置のユーザーを識別することと、
前記ユーザーが割り当てられている１つ以上のジョブをデータリポジトリから受信することと、
受信した前記ジョブの中からジョブを選択することと、
選択された前記ジョブに関して識別されたユーザーの役割を前記データリポジトリから受信することと、
文書タイプを選択することと、
選択された前記ジョブおよび選択された前記文書タイプに従って前記データリポジトリから選択された前記文書タイプのテンプレートを検索することと、
前記テンプレートの文書をユーザーに対して表示することと、
前記文書内の質問への回答のためにユーザーから１つ以上の入力を受信することと、
安全な労働条件を示す期待回答を前記データリポジトリから受信することと、
前記ユーザーから受信した各回答が、それぞれ受信した前記期待回答と一致することを確認することと、
確認された前記回答の１つ以上が前記期待回答と一致しない場合、労働条件が危険であることを表示することと、
を含む方法。
【請求項６】
プロセッサーを含むシステムであって、
モバイル装置を所持している人が実行するジョブを選択し、前記ジョブに必要な許可、前記ジョブの実施計画、前記ジョブに関連するリスク、前記ジョブに関連して使用される設備を含むジョブに関連する情報を前記モバイル装置にダウンロードし、
前記ジョブに必要な許可に関する情報、前記ジョブの実施計画に関する情報、前記ジョブに関連するリスクに関する情報、前記ジョブに関連して使用される設備に関する情報の各項目を選択するための対応する表示を表示し、
前記表示のうちの１つの選択を受信し、
受信した前記選択に従ってダウンロードされた前記情報のうちの少なくとも一部を表示し、
個人による前記ジョブの遂行に関連して表示された前記情報の使用に関連する前記モバイル装置への入力を受信し、
前記入力をアップロードして、前記個人による前記ジョブの遂行に関して表示された情報の使用の記録を保存し、
前記プロセッサーは、さらに、
選択のために１つ以上の動作をユーザーに提供し、
前記動作の１つの選択を受信し、
前記選択を送信し、前記選択の送信は、選択された前記動作を開始し、選択された前記動作が完了するまで他のユーザーによる選択された前記動作に関連する１つ以上の動作の選択をブロックするように構成されるシステム。
【請求項７】
プロセッサーを含むシステムであって、
モバイル装置を所持している人が実行するジョブを選択し、前記ジョブに必要な許可、前記ジョブの実施計画、前記ジョブに関連するリスク、前記ジョブに関連して使用される設備を含むジョブに関連する情報を前記モバイル装置にダウンロードし、
前記ジョブに必要な許可に関する情報、前記ジョブの実施計画に関する情報、前記ジョブに関連するリスクに関する情報、前記ジョブに関連して使用される設備に関する情報の各項目を選択するための対応する表示を表示し、
前記表示のうちの１つの選択を受信し、
受信した前記選択に従ってダウンロードされた前記情報のうちの少なくとも一部を表示し、
個人による前記ジョブの遂行に関連して表示された前記情報の使用に関連する前記モバイル装置への入力を受信し、
前記入力をアップロードして、前記個人による前記ジョブの遂行に関して表示された情報の使用の記録を保存し、
前記プロセッサーは、さらに、
通常選択可能な１つ以上の動作をユーザーに提供し、
関連する前記動作が開始されたときにリモートシステムからブロック通信を受信し、
関連する前記動作が完了するまで、少なくとも１つの動作の選択をブロックし、
関連する前記動作が完了したことを示すブロック解除通信を受信してから、前記動作の１つの選択を許可するように構成されるシステム。
【請求項８】
プロセッサーを含むシステムであって、
モバイル装置を所持している人が実行するジョブを選択し、前記ジョブに必要な許可、前記ジョブの実施計画、前記ジョブに関連するリスク、前記ジョブに関連して使用される設備を含むジョブに関連する情報を前記モバイル装置にダウンロードし、
前記ジョブに必要な許可に関する情報、前記ジョブの実施計画に関する情報、前記ジョブに関連するリスクに関する情報、前記ジョブに関連して使用される設備に関する情報の各項目を選択するための対応する表示を表示し、
前記表示のうちの１つの選択を受信し、
受信した前記選択に従ってダウンロードされた前記情報のうちの少なくとも一部を表示し、
個人による前記ジョブの遂行に関連して表示された前記情報の使用に関連する前記モバイル装置への入力を受信し、
前記入力をアップロードして、前記個人による前記ジョブの遂行に関して表示された情報の使用の記録を保存し、
前記プロセッサーは、さらに、
ユーザーがアップロードされた前記入力への変更を許可する役割を有していない限り、アップロードされた前記入力を変更することを禁止するように構成されるシステム。
【請求項９】
プロセッサーを含むシステムであって、
モバイル装置を所持している人が実行するジョブを選択し、前記ジョブに必要な許可、前記ジョブの実施計画、前記ジョブに関連するリスク、前記ジョブに関連して使用される設備を含むジョブに関連する情報を前記モバイル装置にダウンロードし、
前記ジョブに必要な許可に関する情報、前記ジョブの実施計画に関する情報、前記ジョブに関連するリスクに関する情報、前記ジョブに関連して使用される設備に関する情報の各項目を選択するための対応する表示を表示し、
前記表示のうちの１つの選択を受信し、
受信した前記選択に従ってダウンロードされた前記情報のうちの少なくとも一部を表示し、
個人による前記ジョブの遂行に関連して表示された前記情報の使用に関連する前記モバイル装置への入力を受信し、
前記入力をアップロードして、前記個人による前記ジョブの遂行に関して表示された情報の使用の記録を保存し、
前記プロセッサーは、さらに、
ユーザーがアップロードされた前記入力への変更を許可する役割を有しているときに、アップロードされた前記入力を変更し、変更されたアップロードされた前記入力を送信することを許可し、
ユーザーがアップロードされた前記入力への変更を許可しない役割を有している場合、アップロードされた前記入力に加えられる変更を許可しないように構成されるシステム。
【請求項１０】
プロセッサーを含むシステムであって、
モバイル装置を所持している人が実行するジョブを選択し、前記ジョブに必要な許可、前記ジョブの実施計画、前記ジョブに関連するリスク、前記ジョブに関連して使用される設備を含むジョブに関連する情報を前記モバイル装置にダウンロードし、
前記ジョブに必要な許可に関する情報、前記ジョブの実施計画に関する情報、前記ジョブに関連するリスクに関する情報、前記ジョブに関連して使用される設備に関する情報の各項目を選択するための対応する表示を表示し、
前記表示のうちの１つの選択を受信し、
受信した前記選択に従ってダウンロードされた前記情報のうちの少なくとも一部を表示し、
個人による前記ジョブの遂行に関連して表示された前記情報の使用に関連する前記モバイル装置への入力を受信し、
前記入力をアップロードして、前記個人による前記ジョブの遂行に関して表示された情報の使用の記録を保存し、
前記プロセッサーは、はさらに、
安全な労働条件を示す期待回答をデータリポジトリから受信し、
受信した各入力が、それぞれ受信した前記期待回答と一致するユーザーから受信した回答を表すことを確認し、
確認された回答の１つ以上が前記期待回答と一致しない場合、労働条件が危険であることを示すように構成されるシステム。
【手続補正２】
【補正対象書類名】明細書
【補正対象項目名】０１６８
【補正方法】変更
【補正の内容】
【０１６８】
図６２は、短期許可を作成するためのプロセスを示す。ジョブに関連する短期間の許可は、モバイルアプリケーションを使用して作成できる。短期許可の作成は、通常、ステージ１４１６ｂでテンプレート質問を完成させること、追加の用語および制御を追加すること、ならびに資格のある担当者を選択することを含む。十分な担当者権限を有する担当者はまた、ステージ１４１８ｂで他の担当者に短期許可を発行することができる。短期許可の作成および発行の後、許可の詳細はステージ１４２０ｂで無許可編集からロックされ、ジョブライブラリー１２１０に格納される。
【国際調査報告】
2020501233.tif 000205
2020501233.tif 000206
2020501233.tif 000207
2020501233.tif 000208
2020501233.tif 000209